(57)【特許請求の範囲】
【請求項１】
テレビジョンホワイトスペース（ＴＶＷＳ）で動作する基本サービスセット（ＢＳＳ）のアクセスポイント（ＡＰ）によりステーションに動作パラメータを送信する方法であって、前記方法は、
ＴＶＷＳ動作情報フィールドを含むフレームを送信することであって、前記ＴＶＷＳ動作情報フィールドは、ＢＳＳ動作チャネルのサイズを示すチャネル幅サブフィールドを含み、前記ＢＳＳ動作チャネルは、ＴＶＷＳの１つ以上の基本的なチャネル単位（ＢＣＵ）を含む、ことと、
ＰＰＤＵ（Ｐｈｙｓｉｃａｌ  ｌａｙｅｒ  Ｐｒｏｔｏｃｏｌ  Ｄａｔａ  Ｕｎｉｔ）のプリアンブル内のＳＩＧ（Ｓｉｇｎａｌ）フィールドを送信することと
を含み、
１個のＢＣＵのサイズは、前記ＢＳＳ動作チャネルのプライマリチャネルのサイズに対応し、
前記ＳＩＧフィールドは、ＰＰＤＵ送信帯域のサイズを示すＢＷ（ＢａｎｄＷｉｄｔｈ）フィールドを含み、前記ＰＰＤＵ送信帯域は、前記ＢＳＳ動作チャネル未満であるか、前記ＢＳＳ動作チャネルと等しく、
ＰＰＤＵタイプが、前記チャネル幅サブフィールド及び前記ＢＷフィールドの組合せに基づいて、連続したマルチＢＣＵ、不連続のマルチＢＣＵ、又は単一のＢＣＵのうちの１つであると決定される、方法。
【請求項２】
前記チャネル幅サブフィールドの値は、
１個のＢＣＵに対する第１タイプ動作チャネル幅（以下、「Ｗ」とする）、
２個の連続したＢＣＵに対する第２タイプ動作チャネル幅（以下、「２Ｗ」とする）、
２個の不連続のＢＣＵに対する第３タイプ動作チャネル幅（以下、「Ｗ＋Ｗ」とする）、
４個の連続したＢＣＵに対する第４タイプ動作チャネル幅（以下、「４Ｗ」とする）、又は
それぞれの周波数ブロックが２個の連続したＢＣＵを含む２個の不連続の周波数ブロックに対する第５タイプ動作チャネル幅（以下、「２Ｗ＋２Ｗ」とする）
を示す、請求項１に記載の方法。
【請求項３】
前記チャネル幅サブフィールドの値が前記第１タイプ動作チャネル幅（Ｗ）を示す場合、及び、前記ＢＷフィールドが第１値を有する場合に、前記ＰＰＤＵタイプは、前記単一のＢＣＵに対応する、請求項２に記載の方法。
【請求項４】
前記チャネル幅サブフィールドの値が前記第２タイプ動作チャネル幅（２Ｗ）を示す場合、及び、前記ＢＷフィールドが前記第１値を有する場合に、前記ＰＰＤＵタイプは、前記単一のＢＣＵに対応し、
前記チャネル幅サブフィールドの値が前記第２タイプ動作チャネル幅（２Ｗ）を示す場合、及び、前記ＢＷフィールドが第２値を有する場合に、前記ＰＰＤＵタイプは、２個の連続したＢＣＵに対応する、請求項３に記載の方法。
【請求項５】
前記チャネル幅サブフィールドの値が前記第３タイプ動作チャネル幅（Ｗ＋Ｗ）を示す場合、及び、前記ＢＷフィールドが前記第１値を有する場合に、前記ＰＰＤＵタイプは、前記単一のＢＣＵに対応し、
前記チャネル幅サブフィールドの値が前記第３タイプ動作チャネル幅（Ｗ＋Ｗ）を示す場合、及び、前記ＢＷフィールドが前記第２値を有する場合に、前記ＰＰＤＵタイプは、２個の不連続のＢＣＵに対応する、請求項４に記載の方法。
【請求項６】
前記チャネル幅サブフィールドの値が前記第４タイプ動作チャネル幅（４Ｗ）を示す場合、及び、前記ＢＷフィールドが前記第１値を有する場合に、前記ＰＰＤＵタイプは、前記単一のＢＣＵに対応し、
前記チャネル幅サブフィールドの値が前記第４タイプ動作チャネル幅（４Ｗ）を示す場合、及び、前記ＢＷフィールドが前記第２値を有する場合に、前記ＰＰＤＵタイプは、２個の連続したＢＣＵに対応し、
前記チャネル幅サブフィールドの値が前記第４タイプ動作チャネル幅（４Ｗ）を示す場合、及び、前記ＢＷフィールドが第３値を有する場合に、前記ＰＰＤＵタイプは、４個の連続したＢＣＵに対応する、請求項５に記載の方法。
【請求項７】
前記チャネル幅サブフィールドの値が前記第５タイプ動作チャネル幅（２Ｗ＋２Ｗ）を示す場合、及び、前記ＢＷフィールドが前記第１値を有する場合に、前記ＰＰＤＵタイプは前記単一のＢＣＵに対応し、
前記チャネル幅サブフィールドの値が前記第５タイプ動作チャネル幅（２Ｗ＋２Ｗ）を示す場合、及び、前記ＢＷフィールドが前記第２値を有する場合に、前記ＰＰＤＵタイプは、２個の連続したＢＣＵに対応し、
前記チャネル幅サブフィールドの値が前記第５タイプ動作チャネル幅（２Ｗ＋２Ｗ）を示す場合、及び、前記ＢＷフィールドが前記第３値を有する場合に、前記ＰＰＤＵタイプは、それぞれの周波数単位が２個の連続したＢＣＵを含む２個の不連続の周波数単位に対応する、請求項６に記載の方法。
【請求項８】
前記ＢＷフィールドが第１値を有する場合、及び、前記チャネル幅サブフィールドの値が前記第１タイプ動作チャネル幅（Ｗ）、第２タイプ動作チャネル幅（２Ｗ）、第３タイプ動作チャネル幅（Ｗ＋Ｗ）、第４タイプ動作チャネル幅（４Ｗ）又は第５タイプのタイプ動作チャネル幅（２Ｗ＋２Ｗ）のうちの１つを示す場合に、前記ＰＰＤＵタイプは、前記単一のＢＣＵに対応する、請求項２に記載の方法。
【請求項９】
前記ＢＷフィールドが第２値を有する場合、及び、前記チャネル幅サブフィールドの値が前記第２タイプ動作チャネル幅（２Ｗ）、第４タイプ動作チャネル幅（４Ｗ）又は第５タイプ動作チャネル幅（２Ｗ＋２Ｗ）のうちの１つを示す場合に、前記ＰＰＤＵタイプは、２個の連続したＢＣＵに対応する、請求項２に記載の方法。
【請求項１０】
前記ＢＷフィールドが第２値を有する場合、及び、前記チャネル幅サブフィールドの値が前記第３タイプ動作チャネル幅（Ｗ＋Ｗ）を示す場合に、前記ＰＰＤＵタイプは、２個の不連続のＢＣＵに対応する、請求項２に記載の方法。
【請求項１１】
前記ＢＷフィールドが第３値を有する場合、及び、前記チャネル幅サブフィールドの値が前記第４タイプ動作チャネル幅（４Ｗ）を示す場合に、前記ＰＰＤＵタイプは、４個の連続したＢＣＵに対応する、請求項２に記載の方法。
【請求項１２】
前記ＢＷフィールドが第３値を有する場合、及び、前記チャネル幅サブフィールドの値が前記第５タイプ動作チャネル幅（２Ｗ＋２Ｗ）を示す場合に、前記ＰＰＤＵタイプは、それぞれの周波数単位が２個の連続したＢＣＵを含む２個の不連続の周波数単位に対応する、請求項２に記載の方法。
【請求項１３】
テレビジョンホワイトスペース（ＴＶＷＳ）で動作する基本サービスセット（ＢＳＳ）のアクセスポイント（ＡＰ）からステーションにより動作パラメータを受信する方法であって、前記方法は、
ＴＶＷＳ動作情報フィールドを含むフレームを受信することであって、前記ＴＶＷＳ動作情報フィールドは、ＢＳＳ動作チャネルのサイズを示すチャネル幅サブフィールドを含み、前記ＢＳＳ動作チャネルは、ＴＶＷＳの１つ以上の基本的なチャネル単位（ＢＣＵ）を含む、ことと、
ＰＰＤＵ（Ｐｈｙｓｉｃａｌ  ｌａｙｅｒ  Ｐｒｏｔｏｃｏｌ  Ｄａｔａ  Ｕｎｉｔ）のプリアンブル内のＳＩＧ（Ｓｉｇｎａｌ）フィールドを受信することと
を含み、
１個のＢＣＵのサイズは、前記ＢＳＳ動作チャネルのプライマリチャネルのサイズに対応し、
前記ＳＩＧフィールドは、ＰＰＤＵ送信帯域のサイズを示すＢＷ（ＢａｎｄＷｉｄｔｈ）フィールドを含み、前記ＰＰＤＵ送信帯域は、前記ＢＳＳ動作チャネルと等しいか、前記ＢＳＳ動作チャネル未満であり、
ＰＰＤＵタイプが、前記チャネル幅サブフィールド及び前記ＢＷフィールドの組合せに基づいて、連続したマルチＢＣＵ、不連続のマルチＢＣＵ、又は単一のＢＣＵのうちの１つであると決定される、方法。
【請求項１４】
テレビジョンホワイトスペース（ＴＶＷＳ）で動作する基本サービスセット（ＢＳＳ）のアクセスポイント（ＡＰ）であって、前記ＡＰは、
他の機器との送信及び受信を行うように構成された送受信器と、
前記送受信器を含む前記ＡＰを制御するように構成されたプロセッサと
を備え、
前記プロセッサは、前記送受信器を用いて、ＴＶＷＳ動作情報フィールドを含むフレームを送信することであって、前記ＴＶＷＳ動作情報フィールドは、ＢＳＳ動作チャネルのサイズを示すチャネル幅サブフィールドを含み、前記ＢＳＳ動作チャネルは、ＴＶＷＳの１つ以上の基本的なチャネル単位（ＢＣＵ）を含む、ことと、ＰＰＤＵ（Ｐｈｙｓｉｃａｌ  ｌａｙｅｒ  Ｐｒｏｔｏｃｏｌ  Ｄａｔａ  Ｕｎｉｔ）のプリアンブル内のＳＩＧ（Ｓｉｇｎａｌ）フィールドを送信することとを実行するようにさらに構成され、
１個のＢＣＵのサイズは、前記ＢＳＳ動作チャネルのプライマリチャネルのサイズに対応し、
前記ＳＩＧフィールドは、ＰＰＤＵ送信帯域のサイズを示すＢＷ（ＢａｎｄＷｉｄｔｈ）フィールドを含み、前記ＰＰＤＵ送信帯域は、前記ＢＳＳ動作チャネルと等しいか、前記ＢＳＳ動作チャネル未満であり、
ＰＰＤＵタイプは、前記チャネル幅サブフィールド及び前記ＢＷフィールドの組合せに基づいて、連続したマルチＢＣＵ、不連続のマルチＢＣＵ、又は単一のＢＣＵのうちの１つであると決定される、ＡＰ。
【請求項１５】
テレビジョンホワイトスペース（ＴＶＷＳ）で動作する基本サービスセット（ＢＳＳ）のアクセスポイント（ＡＰ）から動作パラメータを受信するステーションであって、前記ステーションは、
他の機器との送信及び受信を行うように構成された送受信器と、
前記送受信器を含む前記装置を制御するように構成されたプロセッサと
を備え、
前記プロセッサは、前記送受信器を用いて、ＴＶＷＳ動作情報フィールドを含むフレームを受信することであって、前記ＴＶＷＳ動作情報フィールドは、ＢＳＳ動作チャネルのサイズを示すチャネル幅サブフィールドを含み、前記ＢＳＳ動作チャネルは、ＴＶＷＳの１つ以上の基本的なチャネル単位（ＢＣＵ）を含む、ことと、ＰＰＤＵ（Ｐｈｙｓｉｃａｌ  ｌａｙｅｒ  Ｐｒｏｔｏｃｏｌ  Ｄａｔａ  Ｕｎｉｔ）のプリアンブル内のＳＩＧ（Ｓｉｇｎａｌ）フィールドを受信することとを実行するようにさらに構成され、
１個のＢＣＵのサイズは、前記ＢＳＳ動作チャネルのプライマリチャネルのサイズに対応し、
前記ＳＩＧフィールドは、ＰＰＤＵ送信帯域のサイズを示すＢＷ（ＢａｎｄＷｉｄｔｈ）フィールドを含み、前記ＰＰＤＵ送信帯域は、前記ＢＳＳ動作チャネルと等しいか、前記ＢＳＳ動作チャネル未満であり、
ＰＰＤＵタイプが、前記チャネル幅サブフィールド及び前記ＢＷフィールドの組合せに基づいて、連続したマルチＢＣＵ、不連続のマルチＢＣＵまたは単一のＢＣＵのうちの１つであると決定される、ステーション。
【請求項１６】
前記ＢＳＳ動作チャネルがマルチＢＣＵを含む場合に、前記チャネル幅サブフィールドは、前記ＢＳＳ動作チャネルのマルチＢＣＵが連続的であるか不連続であるかを示す、請求項１に記載の方法。
【請求項１７】
前記ＢＷフィールドのビットサイズは、前記チャネル幅サブフィールドのビットサイズよりも小さい、請求項１に記載の方法。
【請求項１８】
前記ＢＷフィールドがマルチＢＣＵを示す場合に、前記ＢＷフィールドにより示されるマルチＢＣＵが連続的であるか不連続であるかが、前記チャネル幅サブフィールドを用いることにより示される、請求項１に記載の方法。
【請求項１９】
１個のＢＣＵのサイズは、６ＭＨｚ、７ＭＨｚ、又は８ＭＨｚに対応する、請求項１に記載の方法。
【請求項２０】
前記ＴＶＷＳ動作情報フィールドは、前記ＢＳＳ動作チャネルの前記プライマリチャネルを示すサブフィールドをさらに含む、請求項１９に記載の方法。
【発明の詳細な説明】
【技術分野】
【０００１】
以下の説明は、無線通信システムに関し、特に、無線ＬＡＮシステムにおいて動作チャネル情報を送受信する方法及び装置に関する。
【背景技術】
【０００２】
無線ＬＡＮ（ｗｉｒｅｌｅｓｓ  ｌｏｃａｌ  ａｒｅａ  ｎｅｔｗｏｒｋ；ＷＬＡＮ）技術の標準は、ＩＥＥＥ（Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ）８０２．１１標準として開発されている。ＩＥＥＥ  ８０２．１１ａ及びｂは、２．４ＧＨｚ又は５ＧＨｚで非免許帯域（ｕｎｌｉｃｅｎｓｅｄ  ｂａｎｄ）を用い、ＩＥＥＥ  ８０２．１１ｂは１１Ｍｂｐｓの伝送速度を提供し、ＩＥＥＥ  ８０２．１１ａは５４Ｍｂｐｓの伝送速度を提供する。ＩＥＥＥ  ８０２．１１ｇは、２．４ＧＨｚで直交周波数分割多重化（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ；ＯＦＤＭ）を適用し、５４Ｍｂｐｓの伝送速度を提供する。ＩＥＥＥ  ８０２．１１ｎは、多重入出力ＯＦＤＭ（Ｍｕｌｔｉｐｌｅ  Ｉｎｐｕｔ  Ｍｕｌｔｉｐｌｅ  Ｏｕｔｐｕｔ−ＯＦＤＭ；ＭＩＭＯ−ＯＦＤＭ）を適用し、４個の空間的なストリーム（ｓｐａｔｉａｌ  ｓｔｒｅａｍ）に対して３００Ｍｂｐｓの伝送速度を提供する。ＩＥＥＥ  ８０２．１１ｎではチャネル帯域幅（ｃｈａｎｎｅｌ  ｂａｎｄｗｉｄｔｈ）を４０ＭＨｚまでサポートし、この場合には６００Ｍｂｐｓの伝送速度を提供する。
【０００３】
現在、ＴＶホワイトスペース（ＴＶ  ｗｈｉｔｅｓｐａｃｅ、ＴＶＷＳ）帯域において非免許機器（ｕｎｌｉｃｅｎｓｅｄ  ｄｅｖｉｃｅ）の動作を規定するためのＩＥＥＥ  ８０２．１１ａｆ標準が開発されている。
【０００４】
ＴＶＷＳは、ＴＶ放送のために割り当てられたＶＨＦ（Ｖｅｒｙ  Ｈｉｇｈ  Ｆｒｅｑｕｅｎｃｙ）帯域（５４〜６０、７６〜８８、１７４〜２１６ＭＨｚ）及びＵＨＦ（Ｕｌｔｒａ  Ｈｉｇｈ  Ｆｒｅｑｕｅｎｃｙ）帯域（４７０〜６９８ＭＨｚ）を含み、この周波数帯域で動作する免許機器（ｌｉｃｅｎｓｅｄ  ｄｅｖｉｃｅ；ＴＶ放送及び無線マイクなど）の通信を阻害しないという条件下で非免許機器に対して使用の許可された周波数帯域を意味する。
【０００５】
５１２〜６０８ＭＨｚ、６１４〜６９８ＭＨｚでは、いくつかの特殊な場合を除いて全ての非免許機器に動作が許容されているが、５４〜６０ＭＨｚ、７６〜８８ＭＨｚ、１７４〜２１６ＭＨｚ、４７０〜５１２ＭＨｚ帯域は、固定型機器（ｆｉｘｅｄ  ｄｅｖｉｃｅ）間の通信にのみ許容されている。固定型機器とは、定められた位置でのみ送信を行う機器のことをいう。以下の説明においてホワイトスペース帯域は、上述のＴＶＷＳを含むが、これに限定されるものではない。
【０００６】
ホワイトスペース帯域を使用しようとする非免許機器は、免許機器に対する保護機能を提供しなければならない。そのため、ホワイトスペース帯域で送信を始める前には、免許機器が当該帯域を占有しているか否かを確認する必要がある。すなわち、ホワイトスペース帯域で免許機器が使用中でない場合に限って非免許機器の使用を許容することができる。
【０００７】
そのために、非免許機器はインターネット或いは専用回線を通じて地理的−位置データベース（Ｇｅｏ−ｌｏｃａｔｉｏｎ  ＤａｔａＢａｓｅ；ＧＤＢ）に接続し、該当の地域で使用可能なチャネルリスト（すなわち、使用可能なチャネルのセット）情報を取得しなければならない。ＧＤＢは、自身に登録された免許機器の情報と、これら免許機器の地理的位置及び使用時間に従って動的に変化するチャネル使用情報を保存して管理するデータベースである。また、ホワイトスペースを使用する非免許機器間の共存（ｃｏｅｘｉｓｔｅｎｃｅ）問題を解決するために、共通ビーコンフレーム（ｃｏｍｍｏｎ  ｂｅａｃｏｎ  ｆｒａｍｅ）などのようなシグナリングプロトコル及びスペクトルセンシングメカニズム（ｓｐｅｃｔｒｕｍ  ｓｅｎｓｉｎｇ  ｍｅｃｈａｎｉｓｍ）などを利用することができる。
【０００８】
ＩＥＥＥ  ８０２．１１システムにおいて、ＴＶＷＳ端末とは、ＴＶＷＳスペクトルでＩＥＥＥ  ８０２．１１ＭＡＣ（Ｍｅｄｉｕｍ  Ａｃｃｅｓｓ  Ｃｏｎｔｒｏｌ）層及びＰＨＹ（Ｐｈｙｓｉｃａｌ）層を用いて動作する非免許機器のことを指すことができる。本文書で、特に説明がない限り、ステーション（ＳＴＡ）は、ＴＶＷＳスペクトルで動作するＴＶＷＳ端末のことを指す。
【０００９】
ＳＴＡは、免許使用者（ＴＶ使用者及び無線マイクなど）を含めて優先接続の許容される使用者である優先的使用者（ｉｎｃｕｍｂｅｎｔ  ｕｓｅｒ）又はプライマリ使用者（ｐｒｉｍａｒｙ  ｕｓｅｒ）を保護する機能を提供しなければならない。すなわち、優先的使用者がＴＶＷＳを使用中であれば、ＳＴＡは、当該チャネルの使用を中断しなければならない。したがって、ＳＴＡは、非免許機器が使用できる可用チャネル（すなわち、免許機器が使用しないチャネル）を見つけ、可用チャネル（ａｖａｉｌａｂｌｅ  ｃｈａｎｎｅｌ）で動作しなければならない。
【００１０】
ＳＴＡが可用チャネルを見つけるための方法には、スペクトルセンシングメカニズムを行う方式、及びＧＤＢに接続してＴＶチャネルスケジュールを確認する方式などがある。スペクトルセンシングメカニズムとして、エネルギー検出（ｅｎｅｒｇｙ  ｄｅｔｅｃｔｉｏｎ）方式（受信信号の強度が一定値以上であれば、優先的使用者が使用中であると判断する方式）、特徴部検出（ｆｅａｔｕｒｅ  ｄｅｔｅｃｔｉｏｎ）方式（デジタルＴＶプリアンブル（Ｐｒｅａｍｂｌｅ）が検出されると、優先的使用者が使用中であると判断する方式）などを活用することができる。次に、ＳＴＡは、ＧＤＢに接続し、自身の位置情報に基づくＧＤＢ情報を取得し、当該位置で免許機器がチャネルを使用しているか否かを確認しなければならない。また、ＧＤＢへの接続及び情報取得は、免許機器を保護するのに充分な頻度で行わなければならない。
【００１１】
スペクトルセンシング方式又はＧＤＢから、現在使用中のチャネルに隣接しているチャネルで優先的使用者が使用中であることが判断されたとき、端末（又はＳＴＡ）と基地局（又はＡＰ（Ａｃｃｅｓｓ  Ｐｏｉｎｔ））は送信電力を下げる方式で優先的使用者を保護することができる。
【発明の概要】
【発明が解決しようとする課題】
【００１２】
ホワイトスペース帯域における可用チャネルは、周波数上で連続していないことがある。そのため、ホワイトスペース帯域チャネル構造として、既存の無線ＬＡＮチャネル構造をそのまま適用することはできない。ホワイトスペース帯域でＳＴＡが正しく動作するためには、ＡＰが構成する基本サービスセット（Ｂａｓｉｃ  Ｓｅｒｖｉｃｅ  Ｓｅｔ；ＢＳＳ）で支援するチャネル構造及び許容されるデータユニットタイプを知らなければならない。
【００１３】
本発明では、ＳＴＡに動作チャネルに関する情報を正確に且つ效率的に知らせる方案を提供することを技術的課題とする。
【００１４】
本発明で達成しようとする技術的課題は、以上に言及した技術的課題に制限されず、言及していない他の技術的課題は、下の記載から、本発明の属する技術の分野における通常の知識を有する者には明らかになるであろう。
【課題を解決するための手段】
【００１５】
上記の技術的課題を解決するために、本発明の一実施例に係る、ホワイトスペース帯域で動作するステーション（ＳＴＡ）に対して動作パラメータを提供する方法は、チャネル幅サブフィールドを含む動作情報フィールドを含むフレームを送信するステップと、ＰＰＤＵ（Ｐｈｙｓｉｃａｌ  ｌａｙｅｒ  ｃｏｎｖｅｒｇｅｎｃｅ  ｐｒｏｃｅｄｕｒｅ（ＰＬＣＰ）  Ｐｒｏｔｏｃｏｌ  Ｄａｔａ  Ｕｎｉｔ））プリアンブルのＳＩＧ（Ｓｉｇｎａｌ）フィールドを送信するステップと、を含み、前記ＳＩＧフィールドは、ＢＷ（ＢａｎｄＷｉｄｔｈ）フィールドを含み、前記ＰＰＤＵのタイプは、前記チャネル幅下位フィールド及び前記ＢＷフィールドに基づいて決定されることを特徴とする。
【００１６】
上記の技術的課題を解決するために、本発明の他の実施例に係る、ホワイトスペース帯域で動作するステーション（ＳＴＡ）に対する動作パラメータを受信する方法は、チャネル幅サブフィールドを含む動作情報フィールドを含むフレームを受信するステップと、ＰＰＤＵ（Ｐｈｙｓｉｃａｌ  ｌａｙｅｒ  ｃｏｎｖｅｒｇｅｎｃｅ  ｐｒｏｃｅｄｕｒｅ（ＰＬＣＰ）  Ｐｒｏｔｏｃｏｌ  Ｄａｔａ  Ｕｎｉｔ））プリアンブルのＳＩＧ（Ｓｉｇｎａｌ）フィールドを受信するステップと、を含み、前記ＳＩＧフィールドは、ＢＷ（ＢａｎｄＷｉｄｔｈ）フィールドを含み、前記ＰＰＤＵのタイプは、前記チャネル幅下位フィールド及び前記ＢＷフィールドに基づいて決定されることを特徴とする。
【００１７】
上記の技術的課題を解決するために、本発明の更に他の実施例に係る、ホワイトスペース帯域で動作するステーション（ＳＴＡ）に対して動作パラメータを提供する装置は、他の機器との送受信を行うように構成された送受信器と、前記送受信器を含む前記装置を制御するように構成されたプロセッサと、を備え、前記プロセッサは、前記送受信器を介して、チャネル幅サブフィールドを含む動作情報フィールドを含むフレームを送信し、ＰＰＤＵ（Ｐｈｙｓｉｃａｌ  ｌａｙｅｒ  ｃｏｎｖｅｒｇｅｎｃｅ  ｐｒｏｃｅｄｕｒｅ（ＰＬＣＰ）  Ｐｒｏｔｏｃｏｌ  Ｄａｔａ  Ｕｎｉｔ））プリアンブルのＳＩＧ（Ｓｉｇｎａｌ）フィールドを送信するようにさらに構成され、前記ＳＩＧフィールドはＢＷ（ＢａｎｄＷｉｄｔｈ）フィールドを含み、前記ＰＰＤＵのタイプは、前記チャネル幅下位フィールド及び前記ＢＷフィールドに基づいて決定されることを特徴とする。
【００１８】
上記の技術的課題を解決するために、本発明の更に他の実施例に係る、ホワイトスペース帯域で動作するステーション（ＳＴＡ）に対する動作パラメータを受信する装置は、他の機器との送受信を行うように構成された送受信器と、前記送受信器を含む前記装置を制御するように構成されたプロセッサと、を備え、前記プロセッサは、前記送受信器を介して、チャネル幅サブフィールドを含む動作情報フィールドを含むフレームを受信し、ＰＰＤＵ（Ｐｈｙｓｉｃａｌ  ｌａｙｅｒ  ｃｏｎｖｅｒｇｅｎｃｅ  ｐｒｏｃｅｄｕｒｅ（ＰＬＣＰ）  Ｐｒｏｔｏｃｏｌ  Ｄａｔａ  Ｕｎｉｔ））プリアンブルのＳＩＧ（Ｓｉｇｎａｌ）フィールドを受信するようにさらに構成され、前記ＳＩＧフィールドはＢＷ（ＢａｎｄＷｉｄｔｈ）フィールドを含み、前記ＰＰＤＵのタイプは、前記チャネル幅下位フィールド及び前記ＢＷフィールドに基づいて決定されることを特徴とする。
【００１９】
上述の本発明の実施例において以下の事項を共通に適用することができる。
【００２０】
前記チャネル幅は一つ以上のＷチャネルを含み、前記チャネル幅サブフィールドの値は、一つのＷチャネルに対する第１タイプチャネル幅、２個の連続したＷチャネルに対する第２タイプチャネル幅、２個の不連続したＷチャネルに対する第３タイプチャネル幅、４個の連続したＷチャネルに対する第４タイプチャネル幅、又はそれぞれの周波数セグメントが２個の連続したＷチャネルを含む２個の不連続した周波数セグメントに対する第５タイプチャネル幅のうち一つを示すことができる。
【００２１】
前記チャネル幅サブフィールドが前記第１タイプチャネル幅を示し、前記ＢＷフィールドが第１値を示す場合に、前記ＰＰＤＵタイプは、一つのＷチャネルに対応できる。
【００２２】
前記チャネル幅サブフィールドが前記第２タイプチャネル幅を示し、前記ＢＷフィールドが前記第１値を示す場合に、前記ＰＰＤＵタイプは、一つのＷチャネルに対応し、前記チャネル幅サブフィールドが前記第２タイプチャネル幅を示し、前記ＢＷフィールドが第２値を示す場合に、前記ＰＰＤＵタイプは、２個の連続したＷチャネルに対応してもよい。
【００２３】
前記チャネル幅サブフィールドが前記第３タイプチャネル幅を示し、前記ＢＷフィールドが前記第１値を示す場合に、前記ＰＰＤＵタイプは、一つのＷチャネルに対応し、前記チャネル幅サブフィールドが前記第３タイプチャネル幅を示し、前記ＢＷフィールドが前記第２値を示す場合に、前記ＰＰＤＵタイプは、２個の不連続したＷチャネルに対応してもよい。
【００２４】
前記チャネル幅サブフィールドが前記第４タイプチャネル幅を示し、前記ＢＷフィールドが前記第１値を示す場合に、前記ＰＰＤＵタイプは、一つのＷチャネルに対応し、前記チャネル幅サブフィールドが前記第４タイプチャネル幅を示し、前記ＢＷフィールドが前記第２値を示す場合に、前記ＰＰＤＵタイプは、２個の連続したＷチャネルに対応し、前記チャネル幅サブフィールドが前記第４タイプチャネル幅を示し、前記ＢＷフィールドが前記第３値を示す場合に、前記ＰＰＤＵタイプは、４個の連続したＷチャネルに対応してもよい。
【００２５】
前記チャネル幅サブフィールドが前記第５タイプチャネル幅を示し、前記ＢＷフィールドが前記第１値を示す場合に、前記ＰＰＤＵタイプは一つのＷチャネルに対応し、前記チャネル幅サブフィールドが前記第５タイプチャネル幅を示し、前記ＢＷフィールドが前記第２値を示す場合に、前記ＰＰＤＵタイプは、２個の連続したＷチャネルに対応し、前記チャネル幅サブフィールドが前記第５タイプチャネル幅を示し、前記ＢＷフィールドが第３値を示す場合に、前記ＰＰＤＵタイプは、それぞれの周波数セグメントが２個の連続したＷチャネルを含む２個の不連続した周波数セグメントに対応してもよい。
【００２６】
前記ＢＷフィールドが第１値を有し、前記チャネル幅サブフィールドが第１、第２、第３、第４又は第５タイプチャネル幅を示す場合に、前記ＰＰＤＵタイプは、一つのＷチャネルに対応してもよい。
【００２７】
前記ＢＷフィールドが第２値を有し、前記チャネル幅サブフィールドが第２、第４又は第５タイプチャネル幅を示す場合に、前記ＰＰＤＵタイプは、２個の連続したＷチャネルに対応してもよい。
【００２８】
前記ＢＷフィールドが第２値を有し、前記チャネル幅サブフィールドが第３タイプチャネル幅を示す場合に、前記ＰＰＤＵタイプは、２個の不連続したＷチャネルに対応してもよい。
【００２９】
前記ＢＷフィールドが第３値を有し、前記チャネル幅サブフィールドが第４タイプチャネル幅を示す場合に、前記ＰＰＤＵタイプは、４個の連続したＷチャネルに対応してもよい。
【００３０】
前記ＢＷフィールドが第３値を有し、前記チャネル幅サブフィールドが第５タイプチャネル幅を示す場合に、前記ＰＰＤＵタイプは、それぞれの周波数セグメントが２個の連続したＷチャネルを含む２個の不連続した周波数セグメントに対応してもよい。
【００３１】
本発明について前述した一般的な説明と後述する詳細な説明は、例示的なもので、請求項に記載の発明に関するさらなる説明のためのものである。
例えば、本願発明は以下の項目を提供する。
（項目１）
ホワイトスペース帯域で動作するステーション（ＳＴＡ）に対して動作パラメータを提供する方法であって、
チャネル幅サブフィールドを含む動作情報フィールドを含むフレームを送信するステップと、
ＰＰＤＵ（Ｐｈｙｓｉｃａｌ  ｌａｙｅｒ  ｃｏｎｖｅｒｇｅｎｃｅ  ｐｒｏｃｅｄｕｒｅ（ＰＬＣＰ）  Ｐｒｏｔｏｃｏｌ  Ｄａｔａ  Ｕｎｉｔ））プリアンブルのＳＩＧ（Ｓｉｇｎａｌ）フィールドを送信するステップと、
を含み、
前記ＳＩＧフィールドは、ＢＷ（ＢａｎｄＷｉｄｔｈ）フィールドを含み、
前記ＰＰＤＵのタイプは、前記チャネル幅下位フィールド及び前記ＢＷフィールドに基づいて決定される、動作パラメータ提供方法。
（項目２）
前記チャネル幅は一つ以上のＷチャネルを含み、
前記チャネル幅サブフィールドの値は、
一つのＷチャネルに対する第１タイプチャネル幅、
２個の連続したＷチャネルに対する第２タイプチャネル幅、
２個の不連続したＷチャネルに対する第３タイプチャネル幅、
４個の連続したＷチャネルに対する第４タイプチャネル幅、又は
それぞれの周波数セグメントが２個の連続したＷチャネルを含む２個の不連続した周波数セグメントに対する第５タイプチャネル幅
のうち一つを示す、項目１に記載の動作パラメータ提供方法。
（項目３）
前記チャネル幅サブフィールドが前記第１タイプチャネル幅を示し、前記ＢＷフィールドが第１値を示す場合に、前記ＰＰＤＵタイプは、一つのＷチャネルに対応する、項目２に記載の動作パラメータ提供方法。
（項目４）
前記チャネル幅サブフィールドが前記第２タイプチャネル幅を示し、前記ＢＷフィールドが前記第１値を示す場合に、前記ＰＰＤＵタイプは、一つのＷチャネルに対応し、
前記チャネル幅サブフィールドが前記第２タイプチャネル幅を示し、前記ＢＷフィールドが第２値を示す場合に、前記ＰＰＤＵタイプは、２個の連続したＷチャネルに対応する、項目３に記載の動作パラメータ提供方法。
（項目５）
前記チャネル幅サブフィールドが前記第３タイプチャネル幅を示し、前記ＢＷフィールドが前記第１値を示す場合に、前記ＰＰＤＵタイプは、一つのＷチャネルに対応し、
前記チャネル幅サブフィールドが前記第３タイプチャネル幅を示し、前記ＢＷフィールドが前記第２値を示す場合に、前記ＰＰＤＵタイプは、２個の不連続したＷチャネルに対応する、項目４に記載の動作パラメータ提供方法。
（項目６）
前記チャネル幅サブフィールドが前記第４タイプチャネル幅を示し、前記ＢＷフィールドが前記第１値を示す場合に、前記ＰＰＤＵタイプは、一つのＷチャネルに対応し、
前記チャネル幅サブフィールドが前記第４タイプチャネル幅を示し、前記ＢＷフィールドが前記第２値を示す場合に、前記ＰＰＤＵタイプは、２個の連続したＷチャネルに対応し、
前記チャネル幅サブフィールドが前記第４タイプチャネル幅を示し、前記ＢＷフィールドが前記第３値を示す場合に、前記ＰＰＤＵタイプは、４個の連続したＷチャネルに対応する、項目５に記載の動作パラメータ提供方法。
（項目７）
前記チャネル幅サブフィールドが前記第５タイプチャネル幅を示し、前記ＢＷフィールドが前記第１値を示す場合に、前記ＰＰＤＵタイプは一つのＷチャネルに対応し、
前記チャネル幅サブフィールドが前記第５タイプチャネル幅を示し、前記ＢＷフィールドが前記第２値を示す場合に、前記ＰＰＤＵタイプは、２個の連続したＷチャネルに対応し、
前記チャネル幅サブフィールドが前記第５タイプチャネル幅を示し、前記ＢＷフィールドが第３値を示す場合に、前記ＰＰＤＵタイプは、それぞれの周波数セグメントが２個の連続したＷチャネルを含む２個の不連続した周波数セグメントに対応する、項目６に記載の動作パラメータ提供方法。
（項目８）
前記ＢＷフィールドが第１値を有し、前記チャネル幅サブフィールドが第１、第２、第３、第４又は第５タイプチャネル幅を示す場合に、前記ＰＰＤＵタイプは、一つのＷチャネルに対応する、項目２に記載の動作パラメータ提供方法。
（項目９）
前記ＢＷフィールドが第２値を有し、前記チャネル幅サブフィールドが第２、第４又は第５タイプチャネル幅を示す場合に、前記ＰＰＤＵタイプは、２個の連続したＷチャネルに対応する、項目２に記載の動作パラメータ提供方法。
（項目１０）
前記ＢＷフィールドが第２値を有し、前記チャネル幅サブフィールドが第３タイプチャネル幅を示す場合に、前記ＰＰＤＵタイプは、２個の不連続したＷチャネルに対応する、項目２に記載の動作パラメータ提供方法。
（項目１１）
前記ＢＷフィールドが第３値を有し、前記チャネル幅サブフィールドが第４タイプチャネル幅を示す場合に、前記ＰＰＤＵタイプは、４個の連続したＷチャネルに対応する、項目２に記載の動作パラメータ提供方法。
（項目１２）
前記ＢＷフィールドが第３値を有し、前記チャネル幅サブフィールドが第５タイプチャネル幅を示す場合に、前記ＰＰＤＵタイプは、それぞれの周波数セグメントが２個の連続したＷチャネルを含む２個の不連続した周波数セグメントに対応する、項目２に記載の動作パラメータ提供方法。
（項目１３）
ホワイトスペース帯域で動作するステーション（ＳＴＡ）に対する動作パラメータを受信する方法であって、
チャネル幅サブフィールドを含む動作情報フィールドを含むフレームを受信するステップと、
ＰＰＤＵ（Ｐｈｙｓｉｃａｌ  ｌａｙｅｒ  ｃｏｎｖｅｒｇｅｎｃｅ  ｐｒｏｃｅｄｕｒｅ（ＰＬＣＰ）  Ｐｒｏｔｏｃｏｌ  Ｄａｔａ  Ｕｎｉｔ））プリアンブルのＳＩＧ（Ｓｉｇｎａｌ）フィールドを受信するステップと、
を含み、
前記ＳＩＧフィールドは、ＢＷ（ＢａｎｄＷｉｄｔｈ）フィールドを含み、
前記ＰＰＤＵのタイプは、前記チャネル幅下位フィールド及び前記ＢＷフィールドに基づいて決定される、動作パラメータ受信方法。
（項目１４）
ホワイトスペース帯域で動作するステーション（ＳＴＡ）に対して動作パラメータを提供する装置であって、
他の機器との送受信を行うように構成された送受信器と、
前記送受信器を含む前記装置を制御するように構成されたプロセッサと、
を備え、
前記プロセッサは、前記送受信器を介して、チャネル幅サブフィールドを含む動作情報フィールドを含むフレームを送信し、ＰＰＤＵ（Ｐｈｙｓｉｃａｌ  ｌａｙｅｒ  ｃｏｎｖｅｒｇｅｎｃｅ  ｐｒｏｃｅｄｕｒｅ（ＰＬＣＰ）  Ｐｒｏｔｏｃｏｌ  Ｄａｔａ  Ｕｎｉｔ））プリアンブルのＳＩＧ（Ｓｉｇｎａｌ）フィールドを送信するようにさらに構成され、
前記ＳＩＧフィールドはＢＷ（ＢａｎｄＷｉｄｔｈ）フィールドを含み、
前記ＰＰＤＵのタイプは、前記チャネル幅下位フィールド及び前記ＢＷフィールドに基づいて決定される、動作パラメータ提供装置。
（項目１５）
ホワイトスペース帯域で動作するステーション（ＳＴＡ）に対する動作パラメータを受信する装置であって、
他の機器との送受信を行うように構成された送受信器と、
前記送受信器を含む前記装置を制御するように構成されたプロセッサと、
を備え、
前記プロセッサは、前記送受信器を介して、チャネル幅サブフィールドを含む動作情報フィールドを含むフレームを受信し、ＰＰＤＵ（Ｐｈｙｓｉｃａｌ  ｌａｙｅｒ  ｃｏｎｖｅｒｇｅｎｃｅ  ｐｒｏｃｅｄｕｒｅ（ＰＬＣＰ）  Ｐｒｏｔｏｃｏｌ  Ｄａｔａ  Ｕｎｉｔ））プリアンブルのＳＩＧ（Ｓｉｇｎａｌ）フィールドを受信するようにさらに構成され、
前記ＳＩＧフィールドはＢＷ（ＢａｎｄＷｉｄｔｈ）フィールドを含み、
前記ＰＰＤＵのタイプは、前記チャネル幅下位フィールド及び前記ＢＷフィールドに基づいて決定される、動作パラメータ受信装置。
【発明の効果】
【００３２】
本発明によれば、ＳＴＡに動作チャネルに関する情報を正確に且つ效率的に知らせる方法及び装置を提供することができる。
【００３３】
本発明から得られる効果は、以上に言及した効果に制限されず、言及していない他の効果は、下の記載から、本発明の属する技術の分野における通常の知識を有する者にとって明確に理解されるであろう。
【図面の簡単な説明】
【００３４】
本明細書に添付する図面は、本発明に関する理解を提供するためのもので、本発明の様々な実施の形態を示し、明細書の記載と共に本発明の原理を説明するためのものである。
【図１】図１は、本発明を適用することができるＩＥＥＥ  ８０２．１１システムの例示的な構造を示す図である。
【図２】図２は、本発明を適用することができるＩＥＥＥ  ８０２．１１システムの他の例示的な構造を示す図である。
【図３】図３は、本発明を適用することができるＩＥＥＥ  ８０２．１１システムの更に他の例示的な構造を示す図である。
【図４】図４は、ＷＬＡＮシステムの例示的な構造を示す図である。
【図５】図５は、本発明の一例に係る例示的なリンクセットアップ過程を説明するためのフローチャートである。
【図６】図６（ａ）は、ＷＳＭの一例を示す図である。図６（ｂ）は、機器ＩＤの例示的なフォーマットを示す図である。図６（ｃ）は、チャネル可用性要請フレームの例示的なフォーマットを示す図である。図６（ｄ）は、チャネル可用性応答フレームの例示的なフォーマットを示す図である。図６（ｅ）は、ＣＶＳフレームの例示的なフォーマットを示す図である。
【図７】図７は、動作情報要素のフォーマットを示す図である。
【図８】図８は、ＴＶＷＳにおいてＷＬＡＮ動作チャネルの例示的な形態を示す図である。
【図９】図９は、本発明の一実施例に係る無線装置の構成を示すブロック図である。
【発明を実施するための形態】
【００３５】
以下、本発明の好適な実施の形態を添付の図面を参照しつつ詳細に説明する。添付の図面と共に以下に開示される詳細な説明は、本発明の例示的な実施の形態を説明するためのもので、本発明を実施できる唯一の実施の形態を示すためのものではない。以下の詳細な説明は、本発明の完全な理解を提供するために具体的な細部事項を含む。しかし、このような具体的な細部事項なしにも本発明を実施できるということが当業者には理解される。
【００３６】
以下の諸実施例は、本発明の構成要素及び特徴を所定の形態で結合したものである。各構成要素又は特徴は、別の明示的な言及がない限り、選択的なものとして考慮すればいい。各構成要素又は特徴は、他の構成要素や特徴と結合しない形態で実施することもでき、一部の構成要素及び／又は特徴を結合して本発明の実施例を構成することもできる。本発明の実施例で説明する動作の順序は変更してもよい。ある実施例の一部構成や特徴は、他の実施例に含まれてもよく、又は他の実施例の対応する構成又は特徴に置き換えられてもよい。
【００３７】
以下の説明で使われる特定用語は、本発明の理解を助けるために提供されたものであり、このような特定用語の使用は、本発明の技術的思想から逸脱しない範囲で他の形態に変更してもよい。
【００３８】
場合によって、本発明の概念が曖昧になることを避けるために、公知の構造及び装置を省略したり、各構造及び装置の核心機能を中心にしたブロック図の形式で示す。また、本明細書全体を通じて同一の構成要素については同一の図面符号を使用して説明する。
【００３９】
本発明の実施例は、無線接続システムであるＩＥＥＥ  ８０２システム、３ＧＰＰシステム、３ＧＰＰ  ＬＴＥ、ＬＴＥ−Ａ（ＬＴＥ−Ａｄｖａｎｃｅｄ）システム及び３ＧＰＰ２システムの少なくとも一つに開示された標準文書によってサポートできる。すなわち、本発明の実施例のうち、本発明の技術的思想を明確にするために説明を省いた段階又は部分は、上記文書によってサポートできる。また、本文書で開示している全ての用語は、上記の標準文書によって説明することができる。
【００４０】
以下の技術は、ＣＤＭＡ（Ｃｏｄｅ  Ｄｉｖｉｓｉｏｎ  Ｍｕｌｔｉｐｌｅ  Ａｃｃｅｓｓ）、ＦＤＭＡ（Ｆｒｅｑｕｅｎｃｙ  Ｄｉｖｉｓｉｏｎ  Ｍｕｌｔｉｐｌｅ  Ａｃｃｅｓｓ）、ＴＤＭＡ（Ｔｉｍｅ  Ｄｉｖｉｓｉｏｎ  Ｍｕｌｔｉｐｌｅ  Ａｃｃｅｓｓ）、ＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）、ＳＣ−ＦＤＭＡ（Ｓｉｎｇｌｅ  Ｃａｒｒｉｅｒ  Ｆｒｅｑｕｅｎｃｙ  Ｄｉｖｉｓｉｏｎ  Ｍｕｌｔｉｐｌｅ  Ａｃｃｅｓｓ）などのような種々の無線接続システムに用いることができる。ＣＤＭＡは、ＵＴＲＡ（Ｕｎｉｖｅｒｓａｌ  Ｔｅｒｒｅｓｔｒｉａｌ  Ｒａｄｉｏ  Ａｃｃｅｓｓ）やＣＤＭＡ２０００のような無線技術（ｒａｄｉｏ  ｔｅｃｈｎｏｌｏｇｙ）によって実現することができる。ＴＤＭＡは、ＧＳＭ（登録商標）（Ｇｌｏｂａｌ  Ｓｙｓｔｅｍ  ｆｏｒ  Ｍｏｂｉｌｅ  ｃｏｍｍｕｎｉｃａｔｉｏｎｓ）／ＧＰＲＳ（Ｇｅｎｅｒａｌ  Ｐａｃｋｅｔ  Ｒａｄｉｏ  Ｓｅｒｖｉｃｅ）／ＥＤＧＥ（Ｅｎｈａｎｃｅｄ  Ｄａｔａ  Ｒａｔｅｓ  ｆｏｒ  ＧＳＭ（登録商標）  Ｅｖｏｌｕｔｉｏｎ）のような無線技術によって実現することができる。ＯＦＤＭＡは、ＩＥＥＥ  ８０２．１１（Ｗｉ−Ｆｉ）、ＩＥＥＥ  ８０２．１６（ＷｉＭＡＸ）、ＩＥＥＥ  ８０２−２０、Ｅ−ＵＴＲＡ（Ｅｖｏｌｖｅｄ  ＵＴＲＡ）などのような無線技術によって実現することができる。明確性のため、以下ではＩＥＥＥ  ８０２．１１システムを中心にして説明するが、本発明の技術的思想がこれに制限されるものではない。
【００４１】
図１は、本発明を適用することができるＩＥＥＥ  ８０２．１１システムの例示的な構造を示す図である。
【００４２】
ＩＥＥＥ  ８０２．１１構造は、複数個の構成要素で構成することができ、これらの相互作用によって上位層に対してトランスペアレントなＳＴＡ移動性をサポートするＷＬＡＮを提供することができる。基本サービスセット（Ｂａｓｉｃ  Ｓｅｒｖｉｃｅ  Ｓｅｔ；ＢＳＳ）は、ＩＥＥＥ  ８０２．１１  ＬＡＮにおける基本的な構成ブロックに該当してもよい。図１では、２個のＢＳＳ（ＢＳＳ１及びＢＳＳ２）が存在し、それぞれのＢＳＳのメンバーとして２個のＳＴＡが含まれる（ＳＴＡ１及びＳＴＡ２はＢＳＳ１に含まれて、ＳＴＡ３及びＳＴＡ４はＢＳＳ２に含まれる）例を示す。図１で、ＢＳＳを表す楕円は、当該ＢＳＳに含まれたＳＴＡが通信を維持するカバレッジ領域を表すものと理解してもよい。この領域をＢＳＡ（Ｂａｓｉｃ  Ｓｅｒｖｉｃｅ  Ａｒｅａ）と呼ぶことができる。ＳＴＡがＢＳＡ外に移動すると、当該ＢＳＡ内の他のＳＴＡとは直接通信できなくなる。
【００４３】
ＩＥＥＥ  ８０２．１１  ＬＡＮにおいて最も基本的なタイプのＢＳＳは、独立したＢＳＳ（Ｉｎｄｅｐｅｎｄｅｎｔ  ＢＳＳ；ＩＢＳＳ）である。例えば、ＩＢＳＳは、２個のＳＴＡのみで構成された最小の形態を有することができる。また、最も単純な形態であるとともに、他の構成要素が省かれている図１のＢＳＳ（ＢＳＳ１又はＢＳＳ２）が、ＩＢＳＳの代表的な例示に該当するといえる。このような構成はＳＴＡが直接通信できる場合に可能である。また、このような形態のＬＡＮは、あらかじめ計画して構成するものではなく、必要な場合に構成できるものであって、これをアドホック（ａｄ−ｈｏｃ）ネットワークと呼ぶこともできる。
【００４４】
ＳＴＡがついたり切れたりすること、ＳＴＡがＢＳＳ領域に入ったりＢＳＳ領域から出たりすることによって、ＢＳＳでのＳＴＡのメンバーシップが動的に変更することがある。ＢＳＳのメンバーになるには、ＳＴＡは同期化過程を用いてＢＳＳにジョインすればよい。ＢＳＳベース構造の全てのサービスにアクセスするために、ＳＴＡはＢＳＳに連携されなければならない。このような連携（ａｓｓｏｃｉａｔｉｏｎ）は、動的に設定されてよく、分配システムサービス（Ｄｉｓｔｒｉｂｕｔｉｏｎ  Ｓｙｓｔｅｍ  Ｓｅｒｖｉｃｅ；ＤＳＳ）の利用を含むことができる。
【００４５】
図２は、本発明を適用することができるＩＥＥＥ  ８０２．１１システムの他の例示的な構造を示す図である。図２は、図１の構造において、分配システム（Ｄｉｓｔｒｉｂｕｔｉｏｎ  Ｓｙｓｔｅｍ；ＤＳ）、分配システム媒体（Ｄｉｓｔｒｉｂｕｔｉｏｎ  Ｓｙｓｔｅｍ  Ｍｅｄｉｕｍ；ＤＳＭ）、アクセスポイント（Ａｃｃｅｓｓ  Ｐｏｉｎｔ；ＡＰ）などの構成要素が追加された形態である。
【００４６】
ＬＡＮにおいて直接的なステーション−対−ステーションの距離はＰＨＹ性能によって制限されることがある。このような距離の限界で充分である場合もあるが、より遠い距離のステーション間の通信を必要とする場合もある。拡張されたカバレッジをサポートするために分配システム（ＤＳ）を構成することができる。
【００４７】
ＤＳは、ＢＳＳが相互連結される構造を意味する。具体的に、図１のようにＢＳＳが独立して存在する代わり、複数個のＢＳＳで構成されたネットワークの拡張された形態の構成要素としてＢＳＳが存在してもよい。
【００４８】
ＤＳは、論理的な概念であり、分配システム媒体（ＤＳＭ）の特性によって特定することができる。これに関し、ＩＥＥＥ  ８０２．１１標準では無線媒体（Ｗｉｒｅｌｅｓｓ  Ｍｅｄｉｕｍ；ＷＭ）と分配システム媒体（ＤＳＭ）を論理的に区別している。それぞれの論理的媒体は、異なった目的のために用いられ、異なった構成要素によって用いられる。ＩＥＥＥ  ８０２．１１標準の定義では、これらの媒体を同一のものと制限することもなければ、異なるものと制限することもない。このように複数個の媒体が論理的に異なるという点で、ＩＥＥＥ  ８０２．１１  ＬＡＮ構造（ＤＳ構造又は他のネットワーク構造）の柔軟性を説明することができる。すなわち、ＩＥＥＥ  ８０２．１１  ＬＡＮ構造は様々に具現することができ、それぞれの具現例の物理的な特性に応じて独立して当該ＬＡＮ構造を特定すればよい。
【００４９】
ＤＳは、複数個のＢＳＳのシームレス（ｓｅａｍｌｅｓｓ）統合を提供し、目的地へのアドレスを扱うのに必要な論理的サービスを提供することによって移動機器をサポートすることができる。
【００５０】
ＡＰは、連携されたＳＴＡに対してＷＭを通じてＤＳへのアクセスを可能にし、且つＳＴＡ機能性を有する個体を意味する。ＡＰを介してＢＳＳ及びＤＳ間のデータ移動を行うことができる。例えば、図２に示すＳＴＡ２及びＳＴＡ３は、ＳＴＡの機能性を有しながら、連携されたＳＴＡ（ＳＴＡ１及びＳＴＡ４）がＤＳへアクセスできるようにする機能を担う。また、全てのＡＰは基本的にＳＴＡに該当するため、全てのＡＰはアドレス可能な個体である。ＷＭ上での通信のためにＡＰによって用いられるアドレスとＤＳＭ上での通信のためにＡＰによって用いられるアドレスとが必ずしも同一である必要はない。
【００５１】
ＡＰに連携されたＳＴＡのうちの一つから該ＡＰのＳＴＡアドレスに送信されるデータは、常に非制御ポート（ｕｎｃｏｎｔｒｏｌｌｅｄ  ｐｏｒｔ）で受信し、ＩＥＥＥ  ８０２．１Ｘポートアクセス個体によって処理することができる。また、制御ポート（ｃｏｎｔｒｏｌｌｅｄ  ｐｏｒｔ）が認証されると、送信データ（又はフレーム）をＤＳに伝達することができる。
【００５２】
図３は、本発明を適用することができるＩＥＥＥ  ８０２．１１システムの更に他の例示的な構造を示す図である。図３では、図２の構造に更に広いカバレッジを提供するための拡張されたサービスセット（Ｅｘｔｅｎｄｅｄ  Ｓｅｒｖｉｃｅ  Ｓｅｔ；ＥＳＳ）を概念的に示している。
【００５３】
任意の（ａｒｂｉｔｒａｒｙ）大きさ及び複雑度を有する無線ネットワークをＤＳ及びＢＳＳで構成することができる。ＩＥＥＥ  ８０２．１１システムでは、このような方式のネットワークをＥＳＳネットワークと呼ぶ。ＥＳＳは、一つのＤＳに接続されたＢＳＳの集合に該当するといえる。しかし、ＥＳＳはＤＳを含まない。ＥＳＳネットワークは、ＬＬＣ（Ｌｏｇｉｃａｌ  Ｌｉｎｋ  Ｃｏｎｔｒｏｌ）層でＩＢＳＳネットワークとして見える点に特徴がある。ＥＳＳに含まれるＳＴＡは互いに通信することができ、移動ＳＴＡは、ＬＬＣにトランスペアレントに、あるＢＳＳから他のＢＳＳへ（同じＥＳＳ内で）移動することができる。
【００５４】
ＩＥＥＥ  ８０２．１１では、図３におけるＢＳＳ同士の相対的な物理的位置について何ら仮定しておらず、次のような形態が全て可能である。ＢＳＳ同士は部分的に重なってもよく、これは、連続したカバレッジを提供するために一般的に用いられる形態である。また、ＢＳＳ同士は物理的に接続していなくてもよく、論理的にはＢＳＳ間の距離に制限はない。また、ＢＳＳ同士は物理的に同一位置に置かれてもよく、これは、リダンダンシを提供するために用いることができる。また、一つ（又は一つ以上の）ＩＢＳＳ又はＥＳＳネットワークが一つ（又は一つ以上の）ＥＳＳネットワークとして同一の空間に物理的に存在してもよい。これは、ＥＳＳネットワークが存在する位置にアドホックネットワークが動作する場合、異なった機関（ｏｒｇａｎｉｚａｔｉｏｎｓ）によって物理的に重なるＩＥＥＥ  ８０２．１１ネットワークが構成される場合、又は同一位置で２つ以上の異なったアクセス及び保安政策が必要な場合などにおいてのＥＳＳネットワーク形態に該当するといえる。
【００５５】
図４は、ＷＬＡＮシステムの例示的な構造を示す図である。図４では、ＤＳを含む基盤構造ＢＳＳの一例が示されている。
【００５６】
図４の例示で、ＢＳＳ１及びＢＳＳ２がＥＳＳを構成している。ＷＬＡＮシステムにおいてＳＴＡはＩＥＥＥ  ８０２．１１のＭＡＣ／ＰＨＹ規定に従って動作する機器である。ＳＴＡは、ＡＰ  ＳＴＡ及び非−ＡＰ（ｎｏｎ−ＡＰ）  ＳＴＡを含む。Ｎｏｎ−ＡＰ  ＳＴＡは、ラップトップコンピュータ、移動電話機のように一般的に使用者が直接扱う機器に該当する。図４の例示で、ＳＴＡ１、ＳＴＡ３、ＳＴＡ４はｎｏｎ−ＡＰ  ＳＴＡに該当し、ＳＴＡ２及びＳＴＡ５はＡＰ  ＳＴＡに該当する。
【００５７】
以下の説明で、ｎｏｎ−ＡＰ  ＳＴＡは、端末（ｔｅｒｍｉｎａｌ）、無線送受信ユニット（Ｗｉｒｅｌｅｓｓ  Ｔｒａｎｓｍｉｔ／Ｒｅｃｅｉｖｅ  Ｕｎｉｔ；ＷＴＲＵ）、使用者装置（Ｕｓｅｒ  Ｅｑｕｉｐｍｅｎｔ；ＵＥ）、移動局（Ｍｏｂｉｌｅ  Ｓｔａｔｉｏｎ；ＭＳ）、移動端末（Ｍｏｂｉｌｅ  Ｔｅｒｍｉｎａｌ）、移動加入者局（Ｍｏｂｉｌｅ  Ｓｕｂｓｃｒｉｂｅｒ  Ｓｔａｔｉｏｎ；ＭＳＳ）などと呼ぶこともできる。また、ＡＰは、他の無線通信分野における基地局（Ｂａｓｅ  Ｓｔａｔｉｏｎ；ＢＳ）、ノード−Ｂ（Ｎｏｄｅ−Ｂ）、発展したノード−Ｂ（ｅｖｏｌｖｅｄ  Ｎｏｄｅ−Ｂ；ｅＮＢ）、基底送受信システム（Ｂａｓｅ  Ｔｒａｎｓｃｅｉｖｅｒ  Ｓｙｓｔｅｍ；ＢＴＳ）、フェムト基地局（Ｆｅｍｔｏ  ＢＳ）などに対応する概念である。
【００５８】
（ホワイトスペースでの可用チャネル）
ホワイトスペースでＳＴＡが動作するためには、免許機器（又は、優先的使用者）に対する保護技法を優先的に提供しなければならない。そのため、ＳＴＡは、免許機器によって使用されておらず、非免許機器が使用できる可用チャネルを見つけ、該可用チャネル上で動作しなければならない。
【００５９】
ＳＴＡがホワイトスペース（例えば、ＴＶＷＳ）でのチャネル（例えば、ＴＶチャネル）可用性（ａｖａｉｌａｂｉｌｉｔｙ）を把握するには、スペクトルセンシングを行ったり、ＧＤＢに接続してＴＶチャネルスケジュールを確認したりすればよい。ＧＤＢ情報は、特定位置で免許機器の特定チャネルの使用スケジュール（すなわち、チャネル使用時間）などの情報を含むことができる。ＴＶチャネルの可用性を把握しようとするＳＴＡは、インターネットなどを介してＧＤＢに接続し、自身の位置情報に基づくＧＤＢ情報を取得しなければならないが、これは、免許機器を保護するのに充分の時間単位で行わなければならない。
【００６０】
本文書では、説明の便宜上、ＧＤＢから受信する可用チャネル及び周波数に関する情報をホワイトスペースマップ（Ｗｈｉｔｅ  Ｓｐａｃｅ  Ｍａｐ；ＷＳＭ）と呼ぶことができる。ＷＳＭは、ＳＴＡがＧＤＢから取得したチャネル及び周波数情報に基づき、ＴＶＷＳ帯域で非免許機器が使用できるチャネルに関する情報をマップの形態で作ったものである。ＷＳＭは、非免許機器が使用できる可用チャネルリスト又は周波数（ａｖａｉｌａｂｌｅ  ｃｈａｎｎｅｌ  ｌｉｓｔ  ｏｒ  ｆｒｅｑｕｅｎｃｉｅｓ）に関する情報を含むことができる。可用チャネルリストに含まれたチャネルは、法的に保護されるべき信号（又は、使用者）が使用していないチャネルであり、非免許機器がＧＤＢに接続した時点で非免許機器が使用可能なチャネルである。又は、非免許機器がＧＤＢに接続した時点から特定時間以降からの使用可能チャネルに対する要請をした場合、当該時点から使用可能なチャネル及び周波数に関する情報を含むこともできる。他の実施例として、非免許機器がＧＤＢに可用チャネルに対する要請をした場合、非免許機器が使用できないチャネルをシグナリングすることによって、使用可能チャネル及び周波数に関する情報を伝達することもできる。
【００６１】
現在ＦＣＣ（Ｆｅｄｅｒａｌ  Ｃｏｍｍｕｎｉｃａｔｉｏｎｓ  Ｃｏｍｍｉｓｓｉｏｎ）のＴＶＷＳに対する規定（ｒｅｇｕｌａｔｉｏｎ）では、大きく、２種類の機器タイプを定義する。すなわち、小出力の個人が携帯できる個人用／携帯用機器（Ｐｅｒｓｏｎａｌ／Ｐｏｒｔａｂｌｅ  Ｄｅｖｉｃｅ）、及び固定した位置で動作する大出力の固定した機器（Ｆｉｘｅｄ  Ｄｅｖｉｃｅ）が定義される。固定した機器（Ｆｉｘｅｄ  Ｄｅｖｉｃｅ）は固定したＳＴＡと呼ぶこともでき、個人用／携帯用（Ｐｅｒｓｏｎａｌ／Ｐｏｒｔａｂｌｅ）機器はＰ／Ｐ  ＳＴＡと呼ぶこともできる。固定したＳＴＡ及びＰ／Ｐ  ＳＴＡは両方ともＷＬＡＮシステムにおいて一般的なＳＴＡ（すなわち、ＳＴＡという用語は、ＡＰ及びｎｏｎ−ＡＰを含む）に該当する。これら２種類の機器がそれぞれＴＶＷＳで動作する時、それぞれには異なった動作規則（ｏｐｅｒａｔｉｏｎ  ｒｕｌｅ）を適用することができる。固定した機器は、その位置が変わらない特定位置で信号を送／受信する。勿論、固定した機器も該当の位置で信号を伝送するためには、ＧＤＢに接続して可用チャネル情報を取得しなければならない。固定した機器は、ＧＰＳのような位置を確認できる装備が内蔵されていてもよく、又は設置者（ｉｎｓｔａｌｌｅｒ）によってその位置を人間が直接入力することによってその位置情報をＧＤＢに伝達してもよい。もちろん、位置を人間が直接入力する場合には、一度設置され、位置が入力されてからはその位置が変わらないということを前提とし、位置が変更される場合には、それに応じて位置も変更／登録しなければならない。固定した機器は、同種の他の固定した機器をサービスすることもでき、Ｐ／Ｐ機器をサービスすることもできる。固定した機器が可用チャネル情報をＧＤＢから取得する際には、必ず自身の機器タイプを伝達し、自身が直接使用できる自身の可用チャネル情報を受け取らなければならない。同時に、Ｐ／Ｐ機器のためのサービスをするためには、Ｐ／Ｐ機器が使用できる可用チャネル情報をＧＤＢから又はＧＤＢに接続されているプロキシ（ｐｒｏｘｙ）サーバーから更に受け取らなければならない。固定した機器とＰ／Ｐ機器が使用できるチャネル区間が異なり、それぞれの動作時に、最大許容送信電力と隣接チャネルに対する要求条件が異なるため、各機器タイプ別に可用チャネルリストが異なってくるからである。例えば、固定した機器は、５４〜６０ＭＨｚ、７６〜８８ＭＨｚ、１７４〜２１６ＭＨｚ、４７０〜５１２ＭＨｚ帯域の周波数区間に加え、５１２〜６０８ＭＨｚ、６１４〜６９８ＭＨｚ帯域の周波数区間でも信号伝送が許容される。一方、Ｐ／Ｐ機器は５１２〜６０８ＭＨｚ、６１４〜６９８ＭＨｚ帯域の周波数区間以外の周波数帯域のＴＶＷＳ帯域では信号伝送が許容されない。固定した機器はＰ／Ｐ機器よりも高い電力で信号を伝送でき、実効等方放射電力（Ｅｆｆｅｃｔｉｖｅ  Ｉｓｏｔｒｏｐｉｃ  Ｒａｄｉａｔｅｄ  Ｐｏｗｅｒ；ＥＩＲＰ）として最大４Ｗａｔｔの送信電力が許容される。
【００６２】
Ｐ／Ｐ機器は、特定されていない位置で信号を送／受信できる装備であり、その位置が可変するという点に特徴がある。大部分の場合、人間が携帯できる装備であって、その移動性が予測できない。可用周波数帯域は５１２〜６０８ＭＨｚ、６１４〜６９８ＭＨｚの周波数区間であり、最大送信電力は１００ｍＷ（ＥＩＲＰ）である。Ｐ／Ｐ機器は、自身の位置に対する識別能力（ｉｄｅｎｔｉｆｉｃａｔｉｏｎ  ｃａｐａｂｉｌｉｔｙ）、すなわち、地理的−位置決定能力（ｇｅｏ−ｌｏｃａｔｉｏｎ  ｃａｐａｂｉｌｉｔｙ）及びインターネットアクセスを用いたＧＤＢへの接続能力を有しているか否かによって、モードＩＩ機器（Ｍｏｄｅ  ＩＩ  ｄｅｖｉｃｅ）とモードＩ機器（Ｍｏｄｅ  Ｉ  ｄｅｖｉｃｅ）の２種類に分類することができる。すなわち、モードＩＩ機器は、地理的−位置決定能力及びインターネットアクセス能力を有し、ＧＤＢに接続して自身の位置での可用チャネルに関する情報を取得した後、当該位置でＴＶＷＳ上で動作することができる。また、モードＩＩ機器は、可用チャネル情報をＧＤＢから取得した後、モードＩ機器に通信を始めるように命令できる信号（例えば、イネーブル（ｅｎａｂｌｅ）信号）を伝送することによって、ネットワークを始めることができる。一方、モードＩ機器には地理的−位置決定能力やＧＤＢアクセス能力が要求されず、ＧＤＢにアクセスして有効な可用チャネル情報を有しているモードＩＩ機器又は固定した機器による制御によって動作することが要求される。モードＩＩ機器に該当するＰ／Ｐ機器は、他のＰ／Ｐ機器をサービスすることもでき、又は、固定した機器にサービスを提供することもできる。この場合、モードＩＩＰ／Ｐ機器は、固定した機器のための可用チャネル情報をＧＤＢから取得し、固定した機器に伝達すればよい。
【００６３】
一方、ＧＤＢは、ＤＴＶやマイクロホンなどの優先的使用者のチャネル使用スケジュール及び保護範囲（ｐｒｏｔｅｃｔｉｏｎ  ｃｏｎｔｏｕｒ）を考慮し、非免許機器が要請する位置での可用チャネル情報を計算して非免許機器に伝達すればよい。ＧＤＢで可用チャネル情報を計算する時に考慮するパラメータには、機器タイプ、動作しようとする位置、送信電力、及びスペクトルマスク（ｓｐｅｃｔｒｕｍ  ｍａｓｋ）などがある。ＦＣＣ規定では機器タイプによって、隣接チャネルを使用できるか否かが決定される。例えば、ＤＴＶが３０番チャネルで使用中の時、２９番及び３１番チャネルが空いていても、固定した機器は２９番及び３１番チャネルを使用できない反面、Ｐ／Ｐ機器はこれら両チャネルを使用することができる。これは、固定した機器の場合、送信電力が高いため、隣接チャネルへの干渉を誘発する可能性が高いからである。
【００６４】
以下では、説明の便宜上、ホワイトスペースの一例としてＴＶＷＳを挙げて本発明の例示について説明するが、本発明の範囲がこれに制限されるものではない。すなわち、本発明の範囲は、特定位置で使用可能なチャネルに関する情報を提供するＤＢによって制御される全てのホワイトスペースでの動作に適用される本発明の例示を含む。例えば、現時点ではホワイトスペースに該当しないが、将来、ホワイトスペースに該当すると期待される他の周波数帯域でも、ＧＤＢによって制御される非免許装備の動作が許容されると期待されており、これに適用される本発明の原理による例示も本発明の範囲に含まれるだろう。また、本発明では、説明の便宜上、現在最終規則が発表されたＴＶＷＳに関するＦＣＣ規則に基づいて本発明の原理について説明するが、本発明の範囲は、ＦＣＣ規則に基づくホワイトスペース帯域上での動作に制限されるものではなく、他の規則に従うホワイトスペース帯域上での本発明の原理による例示をも含む。
【００６５】
（ホワイトスペースにおけるリンクセットアップ）
この実施の形態は、ＴＶＷＳにおけるリンクセットアップ過程に関する。特に、モードＩ機器とモードＩＩ機器（又は、固定した機器）間のリンクセットアップのための具体的な例示について説明する。リンクセットアップは、ネットワーク発見（ｎｅｔｗｏｒｋ  ｄｉｓｃｏｖｅｒｙ）、認証（Ａｕｔｈｅｎｔｉｃａｔｉｏｎ）、連携（ａｓｓｏｃｉａｔｉｏｎ）などの過程で進行される。特に、ホワイトスペース帯域で動作するモードＩ機器の場合は、リンクセットアップ時に可用チャネル情報の取得過程が要求される。
【００６６】
図５は、本発明の一例に係る例示的なリンクセットアップ過程を説明するためのフローチャートである。
【００６７】
段階Ｓ５１０で、モードＩＩ機器又は固定した機器（以下では、モードＩＩ機器／固定した機器と表現する。）は、インターネットなどを通してＧＤＢにアクセスし、現在自身の位置で使用可能なチャネルリスト（例えば、ＷＳＭ）を取得することができる。モードＩＩ機器／固定した機器は、可用チャネルリストから特定チャネルを選択することができる。
【００６８】
段階Ｓ５２０で、モードＩＩ機器／固定した機器はビーコンを送信してＢＳＳを構成することができる。ビーコンフレームは送信側（例えば、モードＩＩ機器／固定した機器）の機器タイプなどを含むことができ、これによって、リンクセットアップが可能であることを受信側（例えば、モードＩ機器）に知らせることができる。また、ビーコンフレームには可用チャネルリストに関する情報などが含まれてもよい。また、ビーコンフレームは、周期的に送信することができる。
【００６９】
段階Ｓ５３０で、ＢＳＳに参加しようとするモードＩ機器は、ＴＶＷＳに対するスキャニング過程を行うことができる。仮に、モードＩ機器が現在自身の位置で使用可能なチャネルリストを知っていると、使用可能なチャネルリスト上のチャネルのみに対して受動的（ｐａｓｓｉｖｅ）又は能動的（ａｃｔｉｖｅ）スキャニングを行うことができる。
【００７０】
受動的スキャニングは、モードＩ機器がスキャニングチャネル上でモードＩＩ機器／固定した機器からのビーコン送信を聞く（ｌｉｓｔｅｎ）過程を意味する。能動的スキャニングは、モードＩ機器がスキャニングチャネル上でプローブ要請フレーム（ｐｒｏｂｅ  ｒｅｑｕｅｓｔ  ｆｒａｍｅ）を送信し、モードＩＩ機器／固定した機器からプローブ応答フレーム（ｐｒｏｂｅ  ｒｅｓｐｏｎｓｅ  ｆｒａｍｅ）を受信することを意味する。
【００７１】
モードＩＩ機器／固定した機器は、モードＩ機器のスキャニング負担を軽減するために、ビーコンフレーム、プローブ応答フレームなどに、使用可能なチャネルリストを含めることができる。本発明で、モードＩＩ機器／固定した機器がＧＤＢから取得した可用チャネルリストをＷＳＭと呼ぶことができる。
【００７２】
図６（ａ）は、ＷＳＭの一例を示す図である。
【００７３】
図６（ａ）の例示で、機器タイプ（ｄｅｖｉｃｅ  ｔｙｐｅ）フィールドは、ＷＳＭを送信する端末がモードＩＩ機器か又は固定した機器かを示す。マップＩＤ（Ｍａｐ  ＩＤ）フィールドは、可用チャネルリストのＩＤを示す。チャネル番号（Ｃｈａｎｎｅｌ  Ｎｕｍｂｅｒ）フィールドは、ＴＶＷＳでモードＩＩ機器／固定した機器が使用可能なチャネル番号を示す。チャネル番号は、ＴＶチャネル番号、スペクトル範囲などで表現されるもので、周波数領域で可用チャネルを特定できる情報を意味する。最大電力レベル（Ｍａｘｉｍｕｍ  Ｐｏｗｅｒ  Ｌｅｖｅｌ）フィールドは、可用チャネルでモードＩＩ機器／固定した機器の最大送信電力を示す。有効時間（Ｖａｌｉｄ  Ｔｉｍｅ）フィールドは、可用チャネルを持続して使用可能な期間を示す。有効時間フィールドは、必須ではなく選択的（ｏｐｔｉｏｎａｌ）に含まれてもよい。このようなＷＳＭは、ビーコンフレーム、プローブ応答フレーム、又は他の形態のフレームを通して送信することができる。また、図６（ａ）のＷＳＭのフォーマットは例示的なものに過ぎず、可用チャネルに関する情報を含む他の形態のＷＳＭが本発明の例示で適用されてもよい。
【００７４】
ここで、モードＩ機器がＢＳＳに参加するためには、モードＩＩ機器／固定した機器の制御を受けて動作しなければならない。そのため、モードＩ機器は、モードＩＩ機器／固定した機器とリンクセットアップを行わなければならない。
【００７５】
段階Ｓ５４０で、モードＩ機器は、スキャニング過程が完了した後、ＢＳＳに参加するために連携（ａｓｓｏｃｉａｔｉｏｎ）過程を行うことができる。そのために、モードＩ機器は、連携要請フレームをモードＩＩ機器／固定した機器に送信することができる。下記の表１に、連携要請フレームの例示的なフォーマットを示す。
【００７６】
【表１】
0006045690.tif 000002
【００７７】
上記の表１は、連携要請フレームに含み得る情報の一部の例示を示すもので、更なる情報を含むこともできる。
【００７８】
本発明の例示では、モードＩＩ機器／固定した機器がモードＩ機器の機器タイプを確認できるように、モードＩ機器は連携要請フレームに機器ＩＤ（ｄｅｖｉｃｅ  ＩＤ）情報をさらに含めることができる。これによって、モードＩＩ機器／固定した機器は、連携を要請したモードＩ機器の機器ＩＤ（例えば、ＦＣＣ  ＩＤ、シリアル番号など）を確認し、当該モードＩ機器がＴＶＷＳ動作のために要求される規定を満たすか否か判断できる。機器ＩＤを確認した後、モードＩＩ機器／固定した機器は、連携応答フレームをモードＩ機器に送信することができる。
【００７９】
このような本発明の例示によれば、連携過程が全て完了した後にモードＩ機器がモードＩＩ機器／固定した機器に機器ＩＤを提供する方式に比べて、連携過程以降の動作が単純化し、連携過程中に連携要請を送信した機器を識別できるため、リンクセットアップの効率性、迅速性及び正確度を向上させることができる。
【００８０】
図６（ｂ）は、機器ＩＤの例示的なフォーマットを示す図である。
【００８１】
機器タイプフィールドは、連携要請を送信する機器がモードＩ機器か、モードＩＩ機器／固定した機器かを示す。ＦＣＣ  ＩＤは、連携要請を送信する機器の属する規制管理者（ｒｅｇｕｌａｔｏｒｙ  ａｄｍｉｎｉｓｔｒａｔｏｒ）によって割り当てられた機器ＩＤ値に該当する。ＦＣＣ  ＩＤフィールドは、米国の規制管理者によって割り当てられる機器ＩＤに該当する値であり、他の規制ドメインでの適切な機器識別情報を含むフィールドに置き換わってもよい。機器シリアル番号フィールドは、連携要請を送信する機器のシリアル番号（例えば、メーカー（ｍａｎｕｆａｃｔｕｒｅｒ）によって割り当てられる識別番号）に関する情報を含むことができる。
【００８２】
仮に、連携要請フレームを送信する機器がモードＩＩ機器／固定した機器であれば、リンクセットアップ過程は連携要請／応答過程だけで完了してもよい。これは、モードＩＩ機器／固定した機器はＧＤＢにアクセスして可用チャネルリスト（例えば、ＷＳＭ）を既に有しており、他のモードＩＩ機器／固定した機器の制御を受ける必要がないためである。すなわち、モードＩＩ機器がリンクセットアップを行う場合は、段階Ｓ５４０でリンクセットアップ過程が完了してもよい。
【００８３】
一方、連携要請フレームを送信する機器がモードＩ機器である場合は、連携要請／応答過程が成功的に完了した後、段階Ｓ５５０で保安セットアップ（ｓｅｃｕｒｉｔｙ  ｓｅｔｕｐ）過程を行う。保安セットアップは、例えば、ＥＡＰＯＬ（Ｅｘｔｅｎｓｉｂｌｅ  Ａｕｔｈｅｎｔｉｃａｔｉｏｎ  Ｐｒｏｔｏｃｏｌ  ｏｖｅｒ  ＬＡＮ）フレームを通した４−ウェイハンドシェーキングによってプライベートキーセットアップ（ｐｒｉｖａｔｅ  ｋｅｙ  ｓｅｔｕｐ）をする過程を含むことができる。
【００８４】
モードＩＩ機器／固定した機器とモードＩ機器との間には保安セットアップが必ず行われなければならない。これは、モードＩＩ機器／固定した機器がモードＩ機器にＷＳＭを伝達する際に、完全性確認（ｉｎｔｅｇｒｉｔｙ  ｃｈｅｃｋ）などが要求されるためである。
【００８５】
段階Ｓ５６０で、モードＩ機器は、保安セットアップが完了した後に、モードＩＩ機器／固定した機器にチャネル可用性（Ｃｈａｎｎｅｌ  Ａｖａｉｌａｂｉｌｉｔｙ）要請フレーム（又は、チャネル可用性質疑（Ｃｈａｎｎｅｌ  Ａｖａｉｌａｂｉｌｉｔｙ  Ｑｕｅｒｙ；ＣＡＱ）要請フレーム）を送信して、使用可能なチャネルのリスト（例えば、ＷＳＭ）を要請することができる。モードＩＩ機器／固定した機器は、チャネル可用性応答フレーム（又は、ＣＡＱ応答フレーム）をモードＩ機器に送信することによって可用チャネルリスト（例えば、ＷＳＭ）を提供することができる。
【００８６】
図６（ｃ）にはチャネル可用性要請フレームの例示的なフォーマットを示し、図６（ｄ）にはチャネル可用性応答フレームの例示的なフォーマットを示す。
【００８７】
カテゴリフィールドは、当該フレームが属する分類を示す。この例示で、カテゴリフィールドは、チャネル可用性要請／応答の属するアクションフレームを示す値に設定することができる。アクションフィールドは、当該フレームがいかなる動作に関連しているかを示す。この例示で、アクションフィールドは、チャネル可用性要請／応答に対する特定値に設定することができる。ダイアローグトークンフィールドは、アクション応答とアクション要請をマッチングさせる機能を果たし、同時に複数のアクション要請が存在する場合に用いることができる。ダイアローグトークンフィールドは、要請ＳＴＡ（例えば、モードＩ機器）によって設定される値を含むことができる。
【００８８】
チャネル可用性応答フレームを通して、モードＩ機器は可用チャネルリスト（例えば、ＷＳＭ）を受信することによって、モードＩＩ機器／固定した機器とのリンクセットアップ過程を完了できる。リンクセットアップが完了すると、モードＩ機器はモードＩＩ機器／固定した機器とデータ、制御、管理フレームなどに関する相互送受信を開始することができる。
【００８９】
リンクセットアップ後には、段階Ｓ５７０に示すように、モードＩ機器はモードＩＩ機器／固定した機器からＣＶＳ（Ｃｏｎｔａｃｔ  Ｖｅｒｉｆｉｃａｔｉｏｎ  Ｓｉｇｎａｌ）を周期的に受信することができる。ＣＶＳは、リンクセットアップ状態を有効に維持する機能を持つことができる。
【００９０】
また、図６（ｅ）に示すＣＶＳフレームの例示的なフォーマットのように、モードＩＩ機器／固定した機器から送信されるＣＶＳは、モードＩＩ機器／固定した機器が有するＷＳＭのマップＩＤを含むことができる。これによって、モードＩ機器は、現在有効なチャネルを周期的に確認することができ、ＣＶＳのマップＩＤで示されないＷＳＭは有効でないものと決定できる。すなわち、モードＩ機器がＣＶＳフレームを受信した場合、自身が有しているＷＳＭのマップＩＤと比較し、互いに異なると、チャネル可用性要請フレームをモードＩＩ機器／固定した機器に送信して新しい可用チャネルリスト（例えば、ＷＳＭ）を要請することができる。
【００９１】
前述した本発明の実施の形態では、ホワイトスペースで動作する機器のタイプによる効率的で迅速なリンクセットアップを実行／支援する方案について説明した。このようなリンクセットアップを行うことによって、モードＩ機器はモードＩＩ機器／固定した機器の制御を受けてＢＳＳに参加することができる。以下では、ＢＳＳを構成したモードＩＩ機器／固定した機器が、当該ＢＳＳでの動作に必要な情報を提供する方案に関する本発明の例示について説明する。
【００９２】
（ＢＳＳ動作情報）
あるＢＳＳでのＳＴＡ（又は、モードＩ機器）の動作は、当該ＢＳＳでの動作に必要な情報（例えば、動作情報要素）によって制御される。この動作情報要素は、機器タイプによって適用される動作パラメータを指定することができる。この動作情報は、ＢＳＳを構成したＡＰ（又は、モードＩＩ機器／固定した機器）によって、ビーコンフレーム、プローブ応答フレーム又は他の形態のフレームを通して送信することができる。
【００９３】
図７は、動作情報要素のフォーマットを示す図である。図７の動作情報要素は、ＴＶＷＳでの動作に関するパラメータを含む意味から、ＴＶＷＳ動作情報要素と呼ぶこともできる。また、ＴＶＷＳでの高収率（Ｈｉｇｈ  Ｔｈｒｏｕｇｈｐｕｔ；ＨＴ）ＢＳＳにおける動作に関するパラメータを含む意味から、ＴＶＨＴ動作情報要素と呼ぶこともできる。以下では、便宜上、動作情報要素又は動作要素と呼ぶものとする。
【００９４】
図７で、要素ＩＤ（Ｅｌｅｍｅｎｔ  ＩＤ）フィールドは、動作情報要素に対してあらかじめ定められた所定の値を有することができる。長さ（Ｌｅｎｇｔｈ）フィールドは、後続するフィールドの長さに該当する値を有することができる。動作情報（Ｏｐｅｒａｔｉｏｎ  Ｉｎｆｏｒｍａｔｉｏｎ）フィールドは、動作チャネルに関する帯域幅（ｂａｎｄｗｉｄｔｈ）及び中心周波数（ｃｅｎｔｅｒ  ｆｒｅｑｕｅｎｃｙ）などの情報を含み、動作情報フィールドのサブフィールド（ｓｕｂｆｉｅｌｄ）に関する具体的な内容は、表２を参照して後述する。基本ＭＣＳセット（Ｂａｓｉｃ  ＭＣＳ  Ｓｅｔ）フィールドは、ＢＳＳ内の全ＳＴＡによって支援されるＭＣＳ（Ｍｏｄｕｌａｔｉｏｎ  ａｎｄ  ｃｏｄｉｎｇ  ｓｃｈｅｍｅ）に該当する値を有することができる。
【００９５】
下記の表２を参照して、図７の動作情報フィールドのフォーマット及びサブフィールドの内容について説明する。図７の動作情報フィールドは、ＴＶＷＳ動作情報フィールド又はＴＶＨＴ動作情報フィールドと呼ぶこともできる。
【００９６】
【表２−１】
0006045690.tif 000003
【００９７】
【表２−２】
0006045690.tif 000004
【００９８】
上記の表２で示す動作情報フィールドの具体的な内容について説明するに先立ち、本発明で説明するＷＬＡＮチャネルの構造を表現するための用語について説明する。
【００９９】
まず、ＢＳＳの動作チャネルは、ＷＬＡＮチャネルと表現でき、ＷＬＡＮチャネルを構成する基本的な単位のチャネルは、Ｗ  ＭＨｚサイズの帯域幅と定義される。以下の説明では、基本的な単位のチャネルを”Ｗチャネル”と称する。ＷＬＡＮチャネルは、一つのＷチャネル又は複数個のＷチャネルで構成することができる。複数個のＷチャネルが周波数軸上で連続して（ｃｏｎｔｉｇｕｏｕｓ）位置してもよく、不連続して（ｎｏｎ−ｃｏｎｔｉｇｕｏｕｓ）位置してもよい。セグメント（ｓｅｇｍｅｎｔ）は、一つのＷチャネル又は連続した複数個のＷチャネルで構成される。
【０１００】
また、プライマリチャネル（ｐｒｉｍａｒｙ  ｃｈａｎｎｅｌ）は、データユニット（例えば、ＰＰＤＵ（Ｐｈｙｓｉｃａｌ  ｌａｙｅｒ  ｃｏｎｖｅｒｇｅｎｃｅ  ｐｒｏｃｅｄｕｒｅ（ＰＬＣＰ）  Ｐｒｏｔｏｃｏｌ  Ｄａｔａ  Ｕｎｉｔ））の送信のために基本的に用いられるチャネルであって、ビーコンなどの基本的な信号送信のために使用可能である。プライマリチャネルは、一つのＷチャネルに対応してもよく、２個の連続したＷチャネル（すなわち、２Ｗチャネル）に対応してもよい。一方、セカンダリ（ｓｅｃｏｎｄａｒｙ）チャネルは、プライマリチャネル以外のチャネルを意味する。
【０１０１】
上記の表２で、プライマリチャネル幅（Ｐｒｉｍａｒｙ  Ｃｈａｎｎｅｌ  Ｗｉｄｔｈ）サブフィールドは、プライマリチャネルの帯域幅を示す。各国別にＴＶチャネルの帯域幅は異なっているため、ＴＶＷＳで定義されるＷＬＡＮ動作チャネルのうちプライマリチャネルの幅も国別に異なるように定義できる。したがって、ＢＳＳ内でＳＴＡが正しく動作するためには、プライマリチャネルの幅を知らせることが必要である。上記の表２では、プライマリチャネルがＷ  ＭＨｚの幅を有し、Ｗの値は６、７又は８ＭＨｚのいずれか一つであることを例示している。
【０１０２】
上記の表２のチャネル幅（Ｃｈａｎｎｅｌ  Ｗｉｄｔｈ）サブフィールドは、ＢＳＳが支援する動作チャネルのチャネル帯域幅を示す。ＴＶＷＳの場合、可用チャネルは周波数軸上で必ずしも連続して存在しない。そのため、ＴＶＷＳでのＷＬＡＮ動作チャネルは、連続した構造も、不連続した構造も支援しなければならない。
【０１０３】
図８は、ＴＶＷＳにおいてＷＬＡＮ動作チャネルの例示的な形態を示す図である。
【０１０４】
図８及び上記の表２で例示的に示すように、ＢＳＳが支援する動作チャネルは、次の５つの形態の構造を有することができる。第一の例示は、動作チャネルが一つのＷチャネルで構成される場合であり、これを”Ｗ動作チャネル幅”と表現できる（図８（ａ））。第二の例示は、動作チャネルが連続した２個のＷチャネルで構成される場合であり、これを”２Ｗ動作チャネル幅”と表現できる（図８（ｂ））。第三の例示は、動作チャネルが不連続した２個のＷチャネルで構成される場合であり、これを”Ｗ＋Ｗ動作チャネル幅”と表現できる（図８（ｃ））。第四の例示は、動作チャネルが連続した４個のＷチャネルで構成される場合であり、これを”４Ｗ動作チャネル幅”と表現できる（図８（ｄ））。第五の例示は、動作チャネルが不連続した２個の周波数単位（すなわち、セグメント）で構成されるとともに、それぞれの周波数単位が連続した２個のＷチャネルで構成される場合であり、これを”２Ｗ＋２Ｗ動作チャネル幅”と表現できる（図８（ｅ））。
【０１０５】
上記のチャネル幅サブフィールドに基づいて、次のＰＰＤＵ送信規則（ｔｒａｎｓｍｉｓｓｉｏｎ  ｒｕｌｅ）を適用することができる。
【０１０６】
ＰＰＤＵ送信規則の第一の例示は、次の表３のように定義できる。
【０１０７】
【表３】
0006045690.tif 000005
【０１０８】
ＰＰＤＵ送信規則の第二の例示は、次の表４のように定義できる。
【０１０９】
【表４】
0006045690.tif 000006
【０１１０】
上記の第一及び第二のＰＰＤＵ送信規則は、４Ｗ動作チャネル幅を支援するＢＳＳと２Ｗ＋２Ｗ動作チャネル幅を支援するＢＳＳにおいて、２Ｗ  ＭＨｚ  ＰＰＤＵ送信が許容されるか或いはＷ＋Ｗ  ＭＨｚ  ＰＰＤＵ送信が許容されるかという点で異なる。可用チャネルで連続したチャネルが多い場合には第一のＰＰＤＵ送信規則（すなわち、上記の表３の規則）を選択することが好ましく、不連続したチャネルが多い場合には、第二のＰＰＤＵ送信規則（すなわち、上記の表４の規則）を選択することが好ましい。
【０１１１】
前述した通り、２Ｗ、Ｗ＋Ｗ、４Ｗ、２Ｗ＋２Ｗ動作チャネル幅では、複数個の許容されるＰＰＤＵ送信が存在する。それらのうちどのタイプのＰＰＤＵが用いられるかを明確に決定することが要求される。本発明では、ＢＳＳが支援する動作チャネル幅及びＰＰＤＵ帯域幅に基づいてＰＰＤＵタイプ（すなわち、許容されるＰＰＤＵ送信タイプ）を決定する方案を提案する。
【０１１２】
まず、ＰＰＤＵは、ＰＬＣＰプリアンブルフィールド、ＰＬＣＰヘッダーフィールド及びデータフィールドを含むことができる。ＰＬＣＰプリアンブルフィールドは、トレーニングフィールド（ｔｒａｉｎｉｎｇ  ｆｉｅｌｄ）などを含む。ＰＬＣＰヘッダーフィールドは、ＳＩＧ（Ｓｉｇｎａｌ）フィールドなどを含む。データフィールドはＰＳＤＵなどを含む。ここで、ＰＬＣＰヘッダーフィールドに含まれるＳＩＧフィールドは、ＢＷ（Ｂａｎｄｗｉｄｔｈ）フィールドを含む。ＢＷフィールドは２ビットサイズと定義され、基本的にはＸ、２Ｘ、４Ｘ又は８Ｘ／４Ｘ＋４ＸのＰＰＤＵ帯域幅を示す機能を持つ（例えば、Ｘ＝２０ＭＨｚ）。
【０１１３】
また、前述したように、ＴＶＷＳでは、Ｗ（＝６、７又は８ＭＨｚ）サイズのプライマリチャネルに基づいてＢＳＳ動作チャネル幅がＷ、２Ｗ、Ｗ＋Ｗ、４Ｗ又は２Ｗ＋２Ｗの形態に設定され、それぞれの動作チャネル幅に対して許容されるＰＰＤＵ送信は、上記の表３又は表４のように設定可能である。
【０１１４】
要するに、上記のＰＬＣＰヘッダーのＳＩＧフィールド内のＢＷフィールドによって定義されるＰＰＤＵ帯域幅は、Ｘ、２Ｘ、４Ｘ又は８Ｘ／４Ｘ＋４Ｘの形態と定義されるが、ＴＶＷＳで動作するＢＳＳで支援可能な動作チャネル幅によるＰＰＤＵ送信の帯域幅は、Ｗ、２Ｗ、Ｗ＋Ｗ、４Ｗ又は２Ｗ＋２Ｗの形態を有する。すなわち、上記のＰＬＣＰヘッダーのＳＩＧフィールド内のＢＷフィールドによって定義されるＰＰＤＵ帯域幅をそのまま使用する場合に、ＴＶＷＳでのＢＳＳ動作チャネル幅によって許容されるＰＰＤＵ送信帯域幅を正しく示すことができない。例えば、ＰＬＣＰヘッダーのＳＩＧフィールド内のＢＷフィールドによってはＸ＋Ｘ又は２Ｘ＋２Ｘのような形態のＰＰＤＵタイプを設定することができない。
【０１１５】
したがって、本発明では、ＢＳＳが支援する動作チャネル幅（すなわち、上記の表２のＣｈａｎｎｅｌ  Ｗｉｄｔｈサブフィールドの値）及びＰＰＤＵ帯域幅（すなわち、ＰＬＣＰヘッダーのＳＩＧフィールド内のＢＷフィールドの値）に基づいてＰＰＤＵタイプを決定する新しい方案を提案する。
【０１１６】
具体的な例示として、ＳＩＧフィールドのＢＷフィールドが第１値（又は、００）である場合に、Ｗ  ＭＨｚ帯域幅のＰＰＤＵタイプが設定されると定義できる。また、ＳＩＧフィールドのＢＷフィールドが第２値（又は、０１）である場合に、２Ｗ又はＷ＋Ｗ  ＭＨｚのＰＰＤＵタイプが設定されると定義できる。また、ＳＩＧフィールドのＢＷフィールドが第３値（又は、１０）である場合に、４Ｗ又は２Ｗ＋２Ｗ  ＭＨｚのＰＰＤＵタイプが設定されると定義できる。これをまとめると、下記の表５の通りである。
【０１１７】
【表５】
0006045690.tif 000007
【０１１８】
上記の表５のように、ＳＩＧフィールドのＢＷ値によるＰＰＤＵタイプが定義される場合に、ＢＳＳで支援する動作チャネル幅を考慮すると、特定ＰＰＤＵタイプ（すなわち、許容されるＰＰＤＵ送信タイプ）を明確に決定することができる。
【０１１９】
例えば、上記の表３のような動作チャネル幅によって許容されるＰＰＤＵ送信のタイプと、上記の表５のようなＢＷフィールドによるＰＰＤＵタイプを同時に考慮することを仮定する。この場合、動作チャネル幅がＷのとき、Ｗ  ＭＨｚのＰＰＤＵ送信のみが許容されるため、ＢＷは第１値のみが関連する。動作チャネル幅が２Ｗのとき、Ｗ  ＭＨｚ又は２Ｗ  ＭＨｚのＰＰＤＵ送信が許容され、ＢＷが第１値であれば、Ｗ  ＭＨｚ  ＰＰＤＵ送信を示し、ＢＷが第２値であれば、２Ｗ  ＭＨｚ  ＰＰＤＵ送信（なぜなら、Ｗ＋Ｗ  ＭＨｚ  ＰＰＤＵ送信は２Ｗ動作チャネル幅で許容されない）を示す。動作チャネル幅がＷ＋Ｗのとき、Ｗ  ＭＨｚ又はＷ＋Ｗ  ＭＨｚのＰＰＤＵ送信が許容され、ＢＷが第１値であれば、Ｗ  ＭＨｚ  ＰＰＤＵ送信を示し、ＢＷが第２値であれば、Ｗ＋Ｗ  ＭＨｚ  ＰＰＤＵ送信（なぜなら、２Ｗ  ＭＨｚ  ＰＰＤＵ送信はＷ＋Ｗ動作チャネル幅で許容されない）を示す。動作チャネル幅が４Ｗのとき、Ｗ  ＭＨｚ、２Ｗ  ＭＨｚ又は４Ｗ  ＭＨｚのＰＰＤＵ送信が許容され、ＢＷが第１値であれば、Ｗ  ＭＨｚ  ＰＰＤＵ送信を示し、ＢＷが第２値であれば、２Ｗ  ＭＨｚ  ＰＰＤＵ送信（なぜなら、Ｗ＋Ｗ  ＭＨｚ  ＰＰＤＵ送信は４Ｗ動作チャネル幅で許容されない）を示し、ＢＷが第３値であれば、４Ｗ  ＭＨｚ  ＰＰＤＵ送信（なぜなら、２Ｗ＋２Ｗ  ＭＨｚ  ＰＰＤＵ送信は４Ｗ動作チャネル幅で許容されない）を示す。動作チャネル幅が２Ｗ＋２Ｗのとき、Ｗ  ＭＨｚ、２Ｗ  ＭＨｚ又は２Ｗ＋２Ｗ  ＭＨｚのＰＰＤＵ送信が許容され、ＢＷが第１値であれば、Ｗ  ＭＨｚ  ＰＰＤＵ送信を示し、ＢＷが第２値であれば、２Ｗ  ＭＨｚ  ＰＰＤＵ送信（なぜなら、Ｗ＋Ｗ  ＭＨｚ  ＰＰＤＵ送信は２Ｗ＋２Ｗ動作チャネル幅で許容されない）を示し、ＢＷが第３値であれば、２Ｗ＋２Ｗ  ＭＨｚ  ＰＰＤＵ送信（なぜなら、４Ｗ  ＭＨｚ  ＰＰＤＵ送信は２Ｗ＋２Ｗ動作チャネル幅で許容されない）を示す。これをまとめると、次の表６の通りである。
【０１２０】
【表６】
0006045690.tif 000008
【０１２１】
また、本発明は、上記の表３及び表４の組合せによってＰＰＤＵタイプを決定する方案を含む。これをまとめると、表７の通りであり、その具体的な説明は省略する。
【０１２２】
【表７】
0006045690.tif 000009
【０１２３】
上記の表６及び表７の例示に示すように、ＢＳＳが支援する動作チャネル幅（すなわち、上記の表２のＣｈａｎｎｅｌ  Ｗｉｄｔｈサブフィールドの値）及びＰＰＤＵ帯域幅（すなわち、ＰＬＣＰヘッダーのＳＩＧフィールド内のＢＷフィールドの値）に基づいて、ＢＳＳが支援する動作チャネル幅によって許容される特定ＰＰＤＵタイプを明確に示すことができ、既存のＢＷフィールドで示されない形態（例えば、Ｗ＋Ｗ又は２Ｗ＋２Ｗ）のＰＰＤＵタイプを明確に示すことができる。
【０１２４】
一方、上記の表５の例示とは違い、上記ＰＬＣＰヘッダーのＳＩＧフィールド内のＢＷフィールドの４個の状態（ｓｔａｔｅ）を全て用いる場合に、動作チャネル幅によって許容されるＰＰＤＵタイプを示す方案を、上記の例示と異なるように定義することができる。例えば、ＢＷフィールドが第１値（又は、００）である場合に、Ｗ  ＭＨｚ帯域幅のＰＰＤＵタイプが設定されると定義できる。また、ＢＷフィールドが第２値（又は、０１）である場合に、２Ｗ  ＭＨｚのＰＰＤＵタイプが設定されると定義できる。また、ＳＩＧフィールドのＢＷフィールドが第３値（又は、１０）である場合に、４Ｗ又は２Ｗ＋２Ｗ  ＭＨｚのＰＰＤＵタイプが設定されると定義できる。また、ＢＷフィールドが第４値（又は、１１）である場合に、Ｗ＋Ｗ  ＭＨｚのＰＰＤＵタイプが設定されると定義できる。これをまとめると、下記の表８の通りである。
【０１２５】
【表８】
0006045690.tif 000010
【０１２６】
この場合、上記の表３及び表４の例示とは違い、動作チャネル幅によって許容されるＰＰＤＵ送信を、次の表９のように定義できる。
【０１２７】
【表９】
0006045690.tif 000011
【０１２８】
この場合、ＢＳＳが支援する動作チャネル幅（すなわち、上記の表２のＣｈａｎｎｅｌ  Ｗｉｄｔｈサブフィールドの値）及びＰＰＤＵ帯域幅（すなわち、ＰＬＣＰヘッダーのＳＩＧフィールド内のＢＷフィールドの値）に基づいて、ＢＳＳが支援する動作チャネル幅によって許容される特定ＰＰＤＵタイプを、下記の表１０のように明確に示すことができる。
【０１２９】
【表１０】
0006045690.tif 000012
【０１３０】
上記の表２を再び参照すると、プライマリチャネルオフセット（Ｐｒｉｍａｒｙ  Ｃｈａｎｎｅｌ  Ｏｆｆｓｅｔ）サブフィールドは、周波数セグメントの帯域幅が２Ｗ  ＭＨｚ又は４Ｗ  ＭＨｚである場合にプライマリチャネルの位置を示す。
【０１３１】
例えば、図８（ｅ）の例示のように、一つの周波数セグメントが２Ｗ帯域幅と定義され、２個の周波数セグメント（周波数セグメント０及び１）が定義され、プライマリチャネルが周波数セグメント０に位置する場合を仮定できる。この場合、プライマリチャネルオフセットが０値を有すると、プライマリチャネルは周波数セグメント０の一番目のＷチャネルに位置し、プライマリチャネルオフセットが１値を有すると、プライマリチャネルは周波数セグメント０の二番目のＷチャネルに位置することを示すことができる。
【０１３２】
他の例示として、図８（ｄ）の例示のように、プライマリチャネルが４ＭＨｚ帯域幅の周波数セグメントに存在する場合に、プライマリチャネルオフセットが０値を有すると、プライマリチャネルは周波数セグメント０の一番目のＷチャネルに位置し、プライマリチャネルオフセットが１値を有すると、プライマリチャネルは周波数セグメント０の二番目のＷチャネルに位置し、プライマリチャネルオフセットが２値を有すると、プライマリチャネルは周波数セグメント０の三番目のＷチャネルに位置し、プライマリチャネルオフセットが３値を有すると、プライマリチャネルは周波数セグメント０の四番目のＷチャネルに位置することを示すことができる。
【０１３３】
上記の表２のセカンダリチャネルオフセット（Ｓｅｃｏｎｄａｒｙ  Ｃｈａｎｎｅｌ  Ｏｆｆｓｅｔ）サブフィールドは、プライマリチャネルの位置を基準にセカンダリチャネルの相対的な位置を示す。セカンダリチャネルオフセットが１値を有すると、セカンダリチャネルは、プライマリチャネルに比べて高い周波数に位置し、セカンダリチャネルオフセットが３値を有すると、セカンダリチャネルはプライマリチャネルに比べて低い周波数に位置し、セカンダリチャネルオフセットが０値を有すると、セカンダリチャネルが存在しないことを示すことができる。
【０１３４】
上記の表２のチャネル中心周波数セグメント０（Ｃｈａｎｎｅｌ  Ｃｅｎｔｅｒ  Ｆｒｅｑｕｅｎｃｙ  Ｓｅｇｍｅｎｔ  ０）サブフィールドは、周波数セグメント０のチャネル中心周波数値を示す。周波数セグメント０は、プライマリチャネルを含むセグメントを意味する。例えば、動作チャネル幅がＷ、２Ｗ又は４Ｗ  ＭＨｚである場合は、一つの周波数セグメントが存在するため、チャネル中心周波数セグメント０サブフィールドは、当該周波数セグメントの中心周波数を示すことができる。一方、動作チャネル幅がＷ＋Ｗ又は２Ｗ＋２Ｗ  ＭＨｚである場合は、２個の周波数セグメント（周波数セグメント０及び１）が存在するため、チャネル中心周波数セグメント０サブフィールドは、そのうち周波数セグメント０の中心周波数を示すことができる。
【０１３５】
上記の表２のチャネル中心周波数セグメント１（Ｃｈａｎｎｅｌ  Ｃｅｎｔｅｒ  Ｆｒｅｑｕｅｎｃｙ  Ｓｅｇｍｅｎｔ  １）サブフィールドは、周波数セグメント１のチャネル中心周波数値を示す。連続したチャネルでは一つの周波数セグメント（すなわち、周波数セグメント０）のみが存在するため、チャネル中心周波数セグメント１サブフィールドは、不連続したチャネルのみに対して定義される。例えば、動作チャネル幅がＷ＋Ｗ又は２Ｗ＋２Ｗ  ＭＨｚの場合に２個の周波数セグメント（周波数セグメント０及び１）が存在するため、チャネル中心周波数セグメント１サブフィールドは、そのうち周波数セグメント１の中心周波数を示すことができる。
【０１３６】
上記の表２で、許容される機器タイプ（Ａｌｌｏｗｅｄ  Ｄｅｖｉｃｅ  Ｔｙｐｅ）サブフィールドは、それぞれの周波数セグメントに対して、機器のタイプ別に使用が許容されるか否かを示す。具体的に、それぞれの周波数セグメントに対して、固定した機器の使用が許容されるか、又はＰ／Ｐ機器の使用が許容されるかを、許容される機器タイプサブフィールドで示すことができる。例えば、ＴＶチャネルに隣接した可用チャネルに対しては、固定した機器（例えば、送信電力の高い機器）の使用は許容されないが、Ｐ／Ｐ機器の使用は許容されることがある。仮に、周波数セグメント１がＴＶチャネルに隣接した場合には、固定した機器の使用は許容されないが、Ｐ／Ｐ機器の使用は許容されることがある。したがって、ＢＳＳを構成するＡＰは、それぞれの周波数セグメントに対していかなるタイプの機器の使用が許容されるかを知らせることができる。
【０１３７】
上記のように、図７の動作情報要素に含まれる上記表２の動作情報フィールドのサブフィールドによって、ＢＳＳが動作するチャネルの帯域幅、周波数軸上での位置、機器別に使用可能か否かなどが定義される。また、上記の表３乃至表１０で説明した例示によって、上記動作チャネルで許容されるＰＰＤＵタイプを明確に決定することができる。
【０１３８】
以上の本発明の様々な実施例で説明した事項は独立して適用されてもよく、２つ以上の実施例が同時に適用されるように具現されてもよい。
【０１３９】
図９は、本発明の一実施例に係る無線装置の構成を示すブロック図である。
【０１４０】
ＡＰ  １０は、プロセッサ１１、メモリー１２、送受信器１３を含むことができる。ＳＴＡ  ２０はプロセッサ２１、メモリー２２、送受信器２３を含むことができる。送受信器１３，２３は、無線信号を送信／受信することができ、例えば、ＩＥＥＥ  ８０２システムに基づく物理層を具現することができる。プロセッサ１１，２１は、送受信器１３，２１に接続し、ＩＥＥＥ  ８０２システムに基づく物理層及び／又はＭＡＣ層を具現することができる。プロセッサ１１，２１は、上述した本発明の諸実施例に係る動作を行うように構成することができる。また、上述した本発明の諸実施例に係るＡＰ及びＳＴＡの動作を具現するモジュールはメモリー１２，２２に保存され、プロセッサ１１，２１によって実行されるようにすることができる。メモリー１２，２２は、プロセッサ１１，２１の内部に含まれてもよく、又はプロセッサ１１，２１の外部に設けられ、プロセッサ１１，２１に公知の手段によって接続されてもよい。
【０１４１】
このような装置の具体的な構成は、上述した本発明の諸実施例で説明した事項が独立的に適用されたり、又は２つ以上が同時に適用されるように具現すればよく、重複する内容は明確性のために説明を省略する。
【０１４２】
上述した本発明の実施例は様々な手段を用いて具現することができる。例えば、本発明の実施例は、ハードウェア、ファームウェア（ｆｉｒｍｗａｒｅ）、ソフトウェア又はそれらの結合などによって具現することができる。
【０１４３】
ハードウェアによる具現の場合、本発明の実施例に係る方法は、一つ又はそれ以上のＡＳＩＣｓ（Ａｐｐｌｉｃａｔｉｏｎ  Ｓｐｅｃｉｆｉｃ  Ｉｎｔｅｇｒａｔｅｄ  Ｃｉｒｃｕｉｔｓ）、ＤＳＰｓ（Ｄｉｇｉｔａｌ  Ｓｉｇｎａｌ  Ｐｒｏｃｅｓｓｏｒｓ）、ＤＳＰＤｓ（Ｄｉｇｉｔａｌ  Ｓｉｇｎａｌ  Ｐｒｏｃｅｓｓｉｎｇ  Ｄｅｖｉｃｅｓ）、ＰＬＤｓ（Ｐｒｏｇｒａｍｍａｂｌｅ  Ｌｏｇｉｃ  Ｄｅｖｉｃｅｓ）、ＦＰＧＡｓ（Ｆｉｅｌｄ  Ｐｒｏｇｒａｍｍａｂｌｅ  Ｇａｔｅ  Ａｒｒａｙｓ）、プロセッサ、コントローラ、マイクロコントローラ、マイクロプロセッサなどによって具現することができる。
【０１４４】
ファームウェアやソフトウェアによる具現の場合、本発明の実施例に係る方法は、以上で説明された機能又は動作を実行するモジュール、手順又は関数などの形態で具現することができる。ソフトウェアコードは、メモリーユニットに保存され、プロセッサによって駆動されてよい。メモリーユニットは、プロセッサの内部又は外部に設けられ、既に公知の様々な手段によってプロセッサとデータを交換することができる。
【０１４５】
上述したような本発明の好適な実施の形態に関する詳細な説明は、当業者が本発明を具現して実施できるように提供された。上記では本発明の好適な実施の形態を参照して説明したが、当該技術の分野における熟練された当業者にとっては、添付の特許請求の範囲に記載された本発明の思想及び領域から逸脱しない範囲内で本発明の様々な修正及び変更が可能であるということが理解されるであろう。したがって、本発明は、ここに開示された実施の形態に制限しようとするものではなく、ここに開示された原理及び新規な特徴などと一致する最広の範囲を与えようとするものである。
【産業上の利用可能性】
【０１４６】
上述した本発明の様々な実施の形態は、ＩＥＥＥ  ８０２．１１システムを中心にして説明したが、様々な移動通信システムに同様の適用が可能である。
【図１】
0006045690.tif 000013
【図２】
0006045690.tif 000014
【図３】
0006045690.tif 000015
【図４】
0006045690.tif 000016
【図５】
0006045690.tif 000017
【図６】
0006045690.tif 000018
【図７】
0006045690.tif 000019
【図８（ａ）】
0006045690.tif 000020
【図８（ｂ）】
0006045690.tif 000021
【図８（ｃ）】
0006045690.tif 000022
【図８（ｄ）】
0006045690.tif 000023
【図８（ｅ）】
0006045690.tif 000024
【図９】
0006045690.tif 000025